(57)【特許請求の範囲】
【請求項１】
少なくとも１つのクライアント（１９０２）と、
前記クライアントからの医療専門家サービス注文要求データに応じて、専門家コンピュータに専門家サービス要求データを送信する、少なくとも１つのサーバ（１９０４）であって、知識ベース（２９０８）を参照する医療画像処理アプリケーション（１９２８）を有し、前記医療画像処理アプリケーション（１９２８）の処理結果の画像データ（２９２８）を前記クライアントに提供する、前記サーバ（１９０４）と、
を含み、
段階的な料金体系（１９３２）および少なくとも１つの刺激策（１９２２）を識別するデータ構造が、前記少なくとも１つのサーバ（１９０４）および前記少なくとも１つのクライアント（１９０４）のうちの少なくとも１つの中に含まれ、
複数の支払い請求割引（２９１４）と前記複数のカスタマサービス（２９１６）とが、
前記医療画像処理アプリケーション（１９２８）の処理結果の画像データ（２９２８）を提供するカスタマサービスに関連する第１の支払い請求割引（２９２６）と、
前記処理結果の画像データと前記専門家による臨床転帰（２９２４）とを提供するカスタマサービスに関連する第２の支払い請求割引（２９２２）と、
臨床画像分析に関する相談（２９２０）を提供するカスタマサービスに関連する第３の支払い請求割引（２９１８）と
をさらに含む、
ウェブベースの複数の動作可能に結合されたコンピュータシステム。
【請求項２】
前記医療画像処理アプリケーション（１９２８）が、疾患重症度の知識ベース（２９０８）を参照する神経変性疾患重症度索引付けアプリケーション（２９０６）
をさらに含む、請求項１記載のウェブベースの複数の動作可能に結合されたコンピュータシステム。
【請求項３】
少なくとも１つの刺激策（１９２２）を含む前記段階的な料金体系（１９３２）が各々が複数のカスタマサービス（２９１６）のうちの１つと関連する複数の支払い請求割引（２９１４）
をさらに含む、請求項１記載のウェブベースの複数の動作可能に結合されたコンピュータシステム。
【請求項４】
前記サーバ（１９０４）は、前記医療専門家サービス注文要求データに応答して人員をスケジュールするように構成される管理構成要素（３１１４）を備え、
該管理構成要素（３１１４）が、アカウント管理層（３１２６）、アクセス制御管理層（３１２８）、セキュリティ管理層（３１３０）及び、スケジューリング管理層（３１３２）を備える、請求項１乃至３のいずれかに記載のコンピュータシステム。
【請求項５】
構造化処理アプリケーション構成要素を使用して、前記クライアントと前記専門家との間の交換を加減するためのセキュアサーバ構成要素（２７０２）と、
前記クライアントおよび前記医療専門家と通信するために動作可能なセキュア通信構成要素（２７０４）と、
前記セキュア通信構成要素（２７０４）を介して、基本的に前記クライアントと前記医療専門家との間に成り立つ、前記クライアントと前記医療専門家との間のデータを交換するために動作可能なコラボレーション構成要素（２７０８）と
を含む、請求項１乃至４のいずれかに記載のコンピュータシステム。
【請求項６】
前記データが
前記クライアントから受信された医療画像データ（２７１０）と
前記医療画像データの神経変性疾患重症度索引付け処理の結果（２７１２）と
をさらに含む、請求項５記載のコンピュータシステム。
【請求項７】
前記クライアントが、
セキュア通信構成要素（１７０２）と、
前記セキュア通信構成要素（１７０２）を介して、サーバに医療データ（１７０６）を送信するために動作可能な、また前記セキュア通信構成要素（１７０２）を介して、前記サーバから結果（１７０８）を受信するためにさらに動作可能なクライアント構成要素（１７０４）と、
前記サーバから受信される前記結果（１７０８）を提示するために動作可能なグラフィカルユーザインタフェース構成要素（１７１０）と、
勧告を受信するためにさらに動作可能な専門家インタフェース構成要素（１７０２）と、
前記クライアント（１７００）を操作する実体に対する専門家のアドバイスのための複数の刺激策（１７１６）を受信するために動作可能な構成要素（１７１４）と
をさらに含む、請求項１乃至６のいずれかに記載のコンピュータシステム。
【請求項８】
請求項１乃至７のいずれかに記載のコンピュータシステムにおいて実行される医療画像処理の方法（１１００）であって、
医療画像データを前記クライアントが前記サーバに送信すること（７０２）と、
前記クライアントのアカウント状態に関して、前記サーバによる処理の専門家による監督を要求する第３の水準のサービスを選択し、かつ結果の通信方法を選択するサービス注文要求データを、前記クライアントが前記サーバに送信すること（１１０２）と、
前記通信方法を介して、前記サーバから、前記サーバによる医療画像データの専門家によって監督されたサービス注文ベースの構造化処理アプリケーションの結果を前記クライアントが受信すること（１１０４）と、
前記通信方法を介して、前記医療画像データに関して、また前記結果に関して、前記サーバから報告を前記クライアントが受信すること（９０６）と、
前記第３の水準のサービスに従って、前記サーバから送り状を前記クライアントが受信すること（１１０６）と
を含む方法。
【請求項９】
請求項１乃至７のいずれかに記載のコンピュータシステムにおいて実行される医療画像処理の方法（１２００）であって、
医療画像データを前記クライアントが前記サーバに送信すること（７０２）と、
前記クライアントのアカウント状態に関して、前記サーバによる処理の第１の専門家による監督と処理結果に関するサーバのコラボレーションとを要求する第４の水準のサービスを選択し、かつ結果の通信方法を選択するサービス注文要求データを、前記クライアントが前記サーバに送信すること（１２０２）と、
前記通信方法を介して、前記サーバから、前記サーバによる医療画像の第１の専門家によって監督されたサービス注文ベースの構造化処理アプリケーションの結果を前記クライアントが受信すること（１２０４）と、
前記通信方法を介して、前記医療画像データに関して、また前記結果に関して、前記サーバから報告を前記クライアントが受信すること（９０６）と、
第３のプロセッサを介して、前記サーバから、第２の専門家とのオンラインコラボレーションを前記クライアントが受信すること（１２０６）と、
前記第４の水準のサービスに従って、前記サーバから送り状を前記クライアントが受信すること（１２０８）と
を含む方法。
【請求項１０】
前記通信方法が、電子メール、ＤＩＣＯＭ通信、ファックス、無線のいずれかを含む、請求項８または９に記載の方法。
【発明の詳細な説明】
【技術分野】
【０００１】
本発明は、一般に画像処理に関し、より具体的には、ネットワーク画像処理アプリケーションのアーキテクチャに関する。
【背景技術】
【０００２】
医療画像処理の通常のネットワークアーキテクチャでは、非常に非集中化されたアーキテクチャが実施される。非集中化されたアーキテクチャでは、画像処理の各参加者のクライアントとサーバは、一般に、１つまたは複数のネットワークを介して直接的に通信する能力を有する。この非常に非集中化されたアーキテクチャは、クライアントとサーバとの間の通信の際のトランジットタイム（ｔｒａｎｓｉｔ  ｔｉｍｅ）を削減するために、また１つのクライアント／サーバからの転送許可の際の煩雑な手続きによる遅れを削減するために開発された。
【０００３】
近年、データ転送の伝送速度と共に、データ転送の管理許可を取得できる速度が改善している。それに応じて、非常に非集中化された画像処理アーキテクチャの必要性が低下している。逆に、医療情報の配信と秘密性とを管理する新たな規制と、医療資金調達におけるより複雑な資金要件とにより、ソースから宛先へのデータ転送の管理を改善する必要性が高まっている。
【０００４】
急速に発展する医療画像アプリケーションおよび処理後アプリケーションのドメインにおいて、一部のソフトウェアアプリケーションは最先端の臨床的な適用業務であり、場合によっては、特定のソフトウェアアプリケーションは臨床的使用法をもたらし、またその使用法を凌駕する。しかし、最先端のソフトウェアアプリケーションと相互作用するすべてのソフトウェアアプリケーションが最新技術であるとは限らない。相互作用するソフトウェアアプリケーションの能力のこの違いは、多くの場合、結果として、臨床業務の観点から費用便益均等の不均衡をもたらし、通常なら備わっているはずの臨床効果を備えていない最新技術アプリケーションをもたらす。例えば、遠隔検査記憶プロバイダ（ｒｅｍｏｔｅ  ｒｅｖｉｅｗ  ａｎｄ  ｓｔｏｒａｇｅ  ｐｒｏｖｉｄｅｒｓ）は、大型の画像保管通信（ｐｉｃｔｕｒｅ  ａｒｃｈｉｖｅ  ｃｏｍｍｕｎｉｃａｔｉｏｎ）（ＰＡＣＳ）の設置費用を軽減することができる。しかし、高度な処理後アプリケーションの場合は異なる。一部のソフトウェアアプリケーションの臨床効果が減少することは、ユーザが現在の少量の手続きのために大きな財政的義務を負うことに関心を持たない可能性がある、新しいソフトウェアアプリケーションの場合、より深刻である。
【０００５】
業務の側面から、アプリケーションは、多くの場合、生産時に実施される状態にあるが、同時に、アプリケーションは臨床的な標準に十分適わず、また場合によっては、追加的な臨床データベースが必要になる場合があるため、アプリケーションの生産使用は許可されない。知識ベースまたは基準データベースの連続的な更新が存在する場合、その知識ベースまたは基準データベースを必要とする一部のアプリケーションが実質的に最適である。データ生成サイトからかかるデータにアクセスすることは、ロジスティック上およびトランザクション上の複雑さの点で重要である。
【０００６】
従来のシステムは、カスタマがそのように要求する場合に追加的なガイダンスを提供しない、生産販売前の臨床評価および／または試験を含む臨床評価段階を介した医療専門家との提携を提供する。しかし、専門家との提携は制限されがちであり、またあまり基盤が広くないため、医療専門家が提供できる価値を制限する。
【発明の開示】
【発明が解決しようとする課題】
【０００７】
上述の理由で、また本明細書を読み、理解することで当業者に明らかになるであろう、下に述べられる他の理由で、画像処理アプリケーションにおいて、データのより少なく非集中化された管理、配信および伝送に対する必要性が当技術分野に存在する。データ生成サイトからの臨床データベースのアクセスを改善する必要性も存在する。専門的なアドバイスを取得して、より大きな医療団体にガイダンスを提供するために、一流の指導的な医療専門家と提携する必要性も存在する。
【課題を解決するための手段】
【０００８】
上記の欠点、不利点および問題が本明細書で扱われるが、これは以下の明細書を読み、研究することによって理解されよう。
【０００９】
ウェブベースの構造化医療アプリケーションのシステム、方法および装置が本明細書で説明される。
【００１０】
一態様では、ネットワークアプリケーションフレームワークシステムは、医療サプライヤと、医療カスタマと、医療専門家との間に集中化されたコラボレーションを提供する。
【００１１】
別の態様では、ウェブベースのコンピュータのセットは、１つまたは複数のクライアントと１つまたは複数のサーバとを含み、サーバは１つまたは複数の医療画像処理アプリケーションを含み、そのアプリケーションでは、段階的な料金体系および１つまたは複数の刺激策（インセンティブ）を識別するデータ構造が１つまたは複数のサーバおよび１つまたは複数のクライアントの中に含まれる。
【００１２】
さらに別の態様では、第１のプロセッサによって実行される医療画像処理の方法は、人間のオペレータまたは第１のプロセッサから受信される開始命令に関係なく医療画像データを第２のプロセッサに送信することと、カスタマのアカウント状態に関して、第２のプロセッサによる、第１の水準のサービスを記載するサービス注文要求（ｓｅｒｖｉｃｅ−ｏｒｄｅｒ  ｒｅｑｕｉｓｉｔｉｏｎ）データを第２のプロセッサに送信することと、第２のプロセッサから第２のプロセッサでのデータの可用性の指示を受信することと、データを処理するための開始命令を第２のプロセッサに送信することと、第２のプロセッサから、第２のプロセッサによる医療画像データに関するサービスオーダベースの構造化処理アプリケーションの結果を受信することと、医療画像データに関して、また結果に関して、報告を作成することと、第１の水準のサービスに従って、第２のプロセッサから送り状を受信することとを含む。
【００１３】
さらに別の態様では、カスタマと医療専門家との間のコラボレーションをサポートするシステムは、構造化処理アプリケーション構成要素を使用してカスタマと医療専門家との間の交換（ｅｘｃｈａｎｇｅ）を加減するために動作可能なセキュアサーバ構成要素と、カスタマと医療専門家との通信を行うために動作可能なセキュア通信構成要素と、セキュア通信構成要素を介して、カスタマと医療専門家との間でデータを交換するために動作可能なコラボレーション構成要素とを含む。このデータの交換は、基本的にカスタマと医療専門家との間に成り立つ。
【００１４】
様々な範囲のシステム、クライアント、サーバ、方法、およびコンピュータ可読媒体が、本明細書で説明される。本概要で説明される態様および利点に加えて、図面を参照することによって、また以下の詳細な説明を読むことによって、さらなる態様および利点が明らかになるであろう。
【発明を実施するための最良の形態】
【００１５】
以下の詳細な説明では、本明細書の一部を形成し、実施され得る特定の実施形態の例示として示される添付の図面が参照される。これらの実施形態は、当業者が実施形態を実施することを可能にするために十分詳細に説明され、他の実施形態が利用されてもよく、また実施形態の範囲から逸脱せずに、論理的、機械的、電気的およびその他の変更が行われてもよい点を理解されたい。以下の詳細な説明は、したがって、限定的な意味で解釈されるべきではない。
【００１６】
詳細な説明は、５つのセクションに分かれる。第１のセクションでは、システム水準の概要が説明される。第２のセクションでは、方法の実施形態が説明される。第３のセクションでは、それに関連して実施形態が実施され得るハードウェアと動作環境とが説明される。第４のセクションでは、特定の実施形態が説明される。最後に、第５のセクションでは、詳細な説明の結論が提供される。
【００１７】
システム水準の概要
図１は、サプライヤと、専門家と、カスタマとに集中化された通信経路と医療画像処理アプリケーションとを提供するためのシステムの概要の構成図である。システム１００は、医療画像処理アプリケーションにおけるデータのより集中化された管理、配信および伝送に対する当技術分野における必要性を解決する。
【００１８】
システム１００は、１つまたは複数の医療画像処理アプリケーション１０４をホストするアプリケーションサービスプロバイダ（ＡＳＰ）１０２を含む。一般に、アプリケーションサービスプロバイダは、サービスとしてアプリケーションを実行するためにインフラストラクチャを提供する業務実体である。ＡＳＰ１０２は、医療専門家１０６と、医療カスタマ１０８と、医療サプライヤ１１０とにアクセス可能であり、またこれらと相互作用する。ＡＳＰ１０２と、医療専門家１０６、医療カスタマ１０８および医療サプライヤ１１０との間の（１つまたは複数の）通信媒体（１１２、１１４および１１６）は、１つまたは複数のネットワークであるが、（１つまたは複数の）通信媒体の一実施形態はインターネットである。
【００１９】
医療専門家１０６と、医療カスタマ１０８と、医療サプライヤ１１０とに動作可能に結合されるＡＳＰ１０２は、１つまたは複数の医療画像処理アプリケーション１０４のために共通のソースを提供する。医療画像処理アプリケーションのための共通のソースとしてＡＳＰ１０２は、医療画像処理アプリケーションにおけるデータのより集中化された管理、配信および伝送に対する当技術分野における必要性を解決する。
【００２０】
医療画像処理アプリケーション１０４の一実施例は、米国原出願第１１／２４０６０９号、米国原出願第１１／２４１５７０号、および米国原出願第１１／２４０６１０で説明されるような、疾患重症度の知識ベースを参照する神経変性疾患重症度索引付けアプリケーションである。
【００２１】
システム１００は、任意の特定のＡＳＰ１０２と、（１つまたは複数の）医療画像処理アプリケーション１０４と、医療専門家１０６と、医療カスタマ１０８と、医療サプライヤ１１０とに制限さないものの、明確化のために、簡素化されたＡＳＰ１０２と、（１つまたは複数の）医療画像処理アプリケーション１０４と、医療専門家１０６と、医療カスタマ１０８と、医療サプライヤ１１０とが説明される。
【００２２】
実施形態の動作のシステム水準の概要が、詳細な説明のこのセクションにおいて上で説明される。いくつかの実施形態は、多重処理において、図１３のコンピュータ１３０２など、コンピュータ上のマルチスレッド化された動作環境で動作する。
【００２３】
方法の実施形態
先のセクションでは、実施形態の動作のシステム水準の概要が説明された。このセクションでは、一連の流れ図を参照することによって、かかる実施形態の特定の方法が説明される。流れ図を参照することによって方法を説明することは、当業者が、コンピュータ可読媒体からの命令を実行して、適したコンピュータ上で方法を実施するための命令を含めて、かかるプログラム、ファームウェア、またはハードウェアを開発することを可能にする。同様に、サーバコンピュータプログラム、ファームウェア、またはハードウェアによって実行される方法は、コンピュータ実行可能命令でも構成される。方法２００〜１２００は、図１３のコンピュータ１３０２など、コンピュータの一部であるファームウェア上またはハードウェア上で実行する、またはこれらによって実行されるプログラムによって実行される。
【００２４】
図２〜４は、画像が特定のグループの１つのメンバから供給され、別のグループのメンバによって処理され、別のグループのメンバによって分析され、別の（１つまたは複数の）メンバに報告される分散型ネットワーク内で医療画像処理を実行する方法を説明する。これらのグループは、医療サプライヤと、医療専門家と、医療カスタマとを含んでよい。方法は、画像処理に関してデータおよびサービスを提供するための、カスタマに対する段階的な料金体系および刺激策を含んでよい。図２〜４は、医療画像処理アプリケーションおよびサービスの広い導入と実施とをサポートおよび奨励する、画像処理アプリケーションにおけるデータのより少なく非集中化された管理、配信および伝送に対する当技術分野における必要性を解決する異種医療実体間での医療画像データのアプリケーション処理と配信とを説明する。
【００２５】
図２は、一実施形態による、カスタマと、医療サプライヤと、医療専門家との間のコラボレーションをサポートする方法２００の流れ図である。
【００２６】
方法２００のいくつかの実施形態は、発信（ｏｒｉｇｉｎａｔｉｏｎ）グループ内の実体から処理グループ内の実体に注文を送信すること２０２を含む。注文が注文要求書として実施される方法２００のいくつかの実施形態では、発信グループは人間とコンピュータとを含み、処理グループは人間と、コンピュータと、人間の技術者と、人間の専門家とを含み、その場合、送信すること２０２は、注文要求書を人間とコンピュータと、人間の技術者と、人間の専門家とからなるグループから選択される実体に送信することを含み、送信することは、人間とコンピュータとからなるグループから選択される実体によって実行される。
【００２７】
方法２００のいくつかの実施形態は、注文に従って、医療画像アプリケーションを処理すること２０４を含み、その場合、処理することは、処理グループ内の実体によって実行される。注文が注文要求書として実施される、処理すること２０４のいくつかの実施形態では、処理グループは人間と、コンピュータと、人間の技術者と、人間の専門家とを含み、その場合、処理すること２０４は、注文要求書に従って、医療画像アプリケーションを処理することを含み、処理は、人間と、コンピュータと、人間の技術者と、人間の専門家とからなるグループから選択される実体によって実行されている。
【００２８】
方法２００のいくつかの実施形態は、注文に従って、実行中の医療画像アプリケーションの処理２０４の結果を分析すること２０６を含む。分析２０６することは、コラボレーショングループ内の実体によって実行される。いくつかの実施形態では、コラボレーショングループは、人間と、コンピュータと、人間の専門家と、人間のコラボレータとを含み、その場合、分析すること２０６は、注文要求書に従って、医療画像アプリケーションの処理結果を分析することを含み、分析は人間と、コンピュータと、人間の専門家と、人間のコラボレータとからなるグループから選択される実体によって実行される。
【００２９】
方法２００のいくつかの実施形態は、実行中の分析２０６の結果を報告すること２０８を含む。報告することは、コラボレーショングループ内の実体によって実行され、その場合、報告すること２０８は分析２０６の結果の報告を含み、報告することは人間と、コンピュータと、人間の専門家と、人間のコラボレータとからなるグループから選択された実体によって実行される。
【００３０】
図３は、一実施形態による、方法２００に加えて実行される方法３００の流れ図である。
【００３１】
方法３００は、１つまたは複数の刺激策を含む段階的な料金体系をカスタマに提供すること３０２を含む。いくつかの実施形態では、段階的な料金体系および１つまたは複数の刺激策は、複数の支払い請求割引（ｂｉｌｌｉｎｇ  ｄｉｓｃｏｕｎｔｓ）を含み、その場合、各支払い請求割引は複数のカスタマサービスのうちの１つに関連づけられる。
【００３２】
図４は、一実施形態による、カスタマと、医療サプライヤと、医療専門家との間のコラボレーションをサポートする方法４００の流れ図である。方法４００は、専門的な勧告を取得して、より大きな医療団体にガイダンスを提供するために、一流の指導的な医療専門家と提携する、当技術分野における必要性を解決する。
【００３３】
方法４００のいくつかの実施形態は、カスタマのアカウント状態に関して、医療専門家サービス注文要求データを受信すること４０２を含む。アカウント状態は、複数の支払い請求割引と複数のカスタマサービスを含み、いくつかの実施形態の複数のカスタマサービスは、画像データを提供するカスタマサービスに関連する（１０％支払い請求割引などの）第１の支払い請求割引と、画像データと臨床転帰とを提供するカスタマサービスに関連する（２０％支払い請求割引などの）第２の支払い請求割引と、臨床画像分析に関する相談を提供するカスタマサービスに関連する（５０％支払い請求割引などの）第３の支払い請求割引とを含む。方法４００のいくつかの実施形態では、受信すること４０２は、グラフィカルユーザインタフェースを介して実行される。
【００３４】
方法４００のいくつかの実施形態は、医療専門家サービス注文要求データをコンピュータに送信することを含む。方法４００の一実施形態では、医療専門家サービス注文要求データは、図１の医療カスタマ１０８によって送られ、ＡＳＰ１０２によって受信され４０２、次いで、医療専門家サービス注文要求データは、ＡＳＰ１０２から医療専門家１０６および／または医療サプライヤ１１０に送信される。
【００３５】
図５〜６は、支払い請求割引によって奨励される、医療カスタマと、医療サプライヤと、医療専門家との間のコラボレーションおよび通信の方法を説明する。図５〜６の方法は、奨励される異種医療実体間の医療画像データ処理および専門家の医療コラボレーションにおいて、より大きな医療団体に対する医療専門家の提携とコラボレーションを改善するのに役立つ。
【００３６】
図５は、一実施形態による、カスタマと、医療サプライヤと、医療専門家との間のコラボレーションをサポートする方法５００の流れ図である。方法５００によって提供される（１つまたは複数の）サービスは、高水準の「最高の」水準のサービスを提供するものと説明することができる。
【００３７】
方法５００のいくつかの実施形態は、カスタマのアカウント状態に関して、医療専門家サービス注文要求データを受信すること４０２を含む。上の方法４００と同様に、アカウント状態は複数の支払い請求割引と複数のカスタマサービスとを含む。
【００３８】
方法５００のいくつかの実施形態は、医療専門家サービス注文要求データを適切な医療アプリケーションに経路付けること５０２を含む。適切な医療アプリケーションの一実施例は、疾患重症度の知識ベースを参照する神経変性疾患重症度索引付けアプリケーションなどの医療画像処理アプリケーション１０４である。
【００３９】
方法５００のいくつかの実施形態は、医療専門家サービス注文要求データに関して人員をスケジュールすること５０４を含む。
【００４０】
方法５００のいくつかの実施形態は、適切な医療アプリケーションから結果を受信すること５０６を含む。方法５００のいくつかの実施形態は、その結果を医療専門家に送信すること５０８を含む。方法５００のいくつかの実施形態は、医療専門家から応答を受信すること５１０を含む。
【００４１】
図６は、一実施形態による、カスタマと、医療サプライヤと、医療専門家との間の通信をサポートする方法６００の流れ図である。
【００４２】
方法６００のいくつかの実施形態は、医療専門家サービス注文要求に関して、カスタマからデータを伴う注文を受信すること４０２を含む。方法６００のいくつかの実施形態は、医療専門家に注文の結果を提示すること６０２を含む。方法６００のいくつかの実施形態は、医療専門家から応答を受信すること５１０を含む。方法６００のいくつかの実施形態は、応答をカスタマに送信すること６０４を含む。
【００４３】
図７〜１２は、一般に、カスタマによって操作される第１のコンピュータと、基本的な画像処理から、専門家による画像分析と画像分析における専門家のコラボレーションとを含む高水準のサービスに到るまでの様々な水準のサービスにより注文が処理される第２のコンピュータとの間で医療画像サービスの注文を処理する方法を説明する。したがって、図７〜１２は、専門的な勧告を取得して、より大きな医療団体にガイダンスを提供するために、一流の指導的な医療専門家との提携をもたらす。
【００４４】
図７は、一実施形態による、医療画像プロセッサによって実行される医療画像処理の方法７００の流れ図である。
【００４５】
方法７００のいくつかの実施形態は、開始命令に関して、医療画像データを第２のプロセッサに送信すること７０２を含む。開始命令は、人間のオペレータから第２のプロセッサによって事前に受信されるか、または第１のプロセッサから第２のプロセッサによって事前に受信される。
【００４６】
方法７００のいくつかの実施形態は、カスタマのアカウント状態に関して、第２のプロセッサによる第１の（例えば、「普通の」）水準のサービスを記載するサービス注文要求データを第２のプロセッサに送信すること７０４を含む。
【００４７】
方法７００のいくつかの実施形態は、第２のプロセッサから、第２のプロセッサによる医療画像データに関するサービス注文ベースの構造化処理アプリケーションの結果を受信すること７０６を含む。この構造化処理アプリケーションの一実施例は、疾患重症度の知識ベースを参照する神経変性疾患重症度索引付けアプリケーションなどの医療画像処理アプリケーション１０４である。
【００４８】
方法７００のいくつかの実施形態は、医療画像データに関して、またその結果に関して、報告を作成すること７０８を含む。
【００４９】
方法７００のいくつかの実施形態は、第１の水準のサービスに従って、第２のプロセッサから送り状を受信すること７１０を含む。
【００５０】
図８は、一実施形態による、第１のプロセッサによって実行される医療画像処理の方法８００の流れ図である。
【００５１】
方法８００のいくつかの実施形態は、人間のオペレータまたは第１のプロセッサから受信される開始命令に関係なく、医療画像データを第２のプロセッサに送信すること８０２を含む。
【００５２】
方法８００のいくつかの実施形態は、カスタマのアカウント状態に関して、第２のプロセッサによる第１の（例えば、「普通の」）水準のサービスを記載するサービス注文要求データを第２のプロセッサに送信すること７０４を含む。
【００５３】
方法８００のいくつかの実施形態は、第２のプロセッサでのデータの可用性の指示を第２のプロセッサから受信すること８０４を含む。
【００５４】
方法８００のいくつかの実施形態は、データ処理のための開始命令を第２のプロセッサに送信すること８０６を含む。
【００５５】
方法８００のいくかの実施形態は、第２のプロセッサから、第２のプロセッサによる医療画像データに関するサービス注文ベースの構造化処理アプリケーションの結果を受信すること７０６を含む。この構造化処理アプリケーションの一実施例は、疾患重症度の知識ベースを参照する神経変性疾患重症度索引付けアプリケーションなどの医療画像処理アプリケーション１０４である。
【００５６】
方法８００のいくつかの実施形態は、医療画像データに関して、またその結果に関して、報告を作成すること７０８を含む。方法８００のいくつかの実施形態は、第１の（例えば、「普通の」）水準のサービスに従って、第２のプロセッサから送り状を受信すること７１０を含む。
【００５７】
図９は、一実施形態による、第１のプロセッサによって実行される医療画像処理の方法９００の流れ図である。方法９００のいくつかの実施形態は、医療画像データを第２のプロセッサに送信すること７０２を含む。
【００５８】
方法９００のいくつかの実施形態は、カスタマのアカウント状態に関して、第２のプロセッサによる第２の（例えば、「デラックスな」）水準のサービスを記載し、かつ結果の通信方法を選択するサービス注文要求データを第２のプロセッサに送信すること９０２を含む。いくつかの実施形態では、通信方法は、電子メール、医用デジタル画像と通信（ｄｉｇｉｔａｌ  ｉｍａｇｉｎｇ  ａｎｄ  ｃｏｍｍｕｎｉｃａｔｉｏｎｓ  ｉｎ  ｍｅｄｉｃｉｎｅ）（ＤＩＣＯＭ）構造化レポート（ｓｔｒｕｃｔｕｒｅｄ  ｒｅｐｏｒｔｉｎｇ）（ＳＲ）に従って符号化されたデータ、ファックス、ページ、およびＷｉＦｉまたは無線を含む。ＤＩＣＯＭは、ネットワーク通信のための国際標準化機構（ＩＳＯ）参照モデルに適合する。ＤＩＣＯＭ基準は、バージニア州ロスリンのＮａｔｉｏｎａｌ  Ｅｑｕｉｐｍｅｎｔ  Ｍａｎｕｆａｃｔｕｒｅｒｓ  Ａｓｓｏｃｉａｔｉｏｎ（ＮＥＭＡ）によって、またＡｍｅｒｉｃａｎ  Ｃｏｌｌｅｇｅ  ｏｆ  Ｒａｄｉｏｌｏｇｙ（ＡＣＲ）によって合同で開発された。ＤＩＣＯＭは、ＮＥＭＡによって公開される。ＤＩＣＯＭ基準は、ＡＣＲ／ＮＥＭＡ基準としても知られている。
【００５９】
方法９００のいくつかの実施形態は、選択された通信方法を介して、第２のプロセッサから、第２のプロセッサによる医療画像データに関するサービス注文ベースの自動化された構造化処理アプリケーションの結果を受信すること９０４を含む。この自動化された構造化処理アプリケーションの一実施例は、疾患重症度の知識ベースを参照する神経変性疾患重症度索引付けアプリケーションなどの医療画像処理アプリケーション１０４である。
【００６０】
方法９００のいくつかの実施形態は、通信方法を介して、医療画像データに関して、またその結果に関して、第２のプロセッサから報告を受信すること９０６を含む。
【００６１】
方法９００のいくつかの実施形態は、第２の水準のサービスに従って、第２のプロセッサから送り状を受信すること９０８を含む。
【００６２】
図１０は、一実施形態による、第１のプロセッサによって実行される医療画像処理の方法１０００の流れ図である。
【００６３】
方法１０００のいくつかの実施形態は、医療画像データを第２のプロセッサに送信すること７０２を含む。
【００６４】
方法１０００のいくつかの実施形態は、カスタマのアカウント状態に関して、第２のプロセッサによる処理の技術者による監督を要求する、第２のプロセッサによる第２の（例えば、「デラックスな」）水準のサービスを記載し、かつ結果の通信方法を選択するサービス注文要求データを第２のプロセッサに送信すること１００２を含む。いくつかの実施形態では、通信方法は、電子メール、ＤＩＣＯＭ  ＳＲ、ファックス、ページ、およびＷｉＦｉまたは無線を含む。
【００６５】
方法１０００のいくつかの実施形態は、選択された通信方法を介して、第２のプロセッサから、第２のプロセッサによる医療画像データの技術者によって監督されたサービス注文ベースの自動化された構造化処理アプリケーションの結果を受信すること１００４を含む。この自動化された構造化処理アプリケーションの一実施例は、疾患重症度の知識ベースを参照する神経変性疾患重症度索引付けアプリケーションなどの医療画像処理アプリケーション１０４である。
【００６６】
方法１０００のいくつかの実施形態は、通信方法を介して、医療画像データに関して、またその結果に関して、第２のプロセッサから報告を受信すること９０６を含む。
【００６７】
方法１０００のいくつかの実施形態は、第２の水準のサービスに従って、第２のプロセッサから送り状を受信すること９０８を含む。
【００６８】
図１１は、一実施形態による、第１のプロセッサによって実行される医療画像処理の方法１１００の流れ図である。
【００６９】
方法１１００のいくつかの実施形態は、医療画像データを第２のプロセッサに送信すること７０２を含む。
【００７０】
方法１１００のいくつかの実施形態は、カスタマのアカウント状態に関して、第２のプロセッサによる処理の技術者による監督を要求する、第２のプロセッサによる第３（例えば、「プレミアム」）水準のサービスを記載し、かつ結果の通信方法を選択するサービス注文要求データを第２のプロセッサに送信すること１１０２を含む。いくつかの実施形態では、通信方法は、電子メール、ＤＩＣＯＭ  ＳＲ、ファックス、ページ、およびＷｉＦｉまたは無線を含む。
【００７１】
方法１１００のいくつかの実施形態は、選択された通信方法を介して、第２のプロセッサから、第２のプロセッサによる医療画像データの専門家によって監督されたサービス注文ベースの自動化された構造化処理アプリケーションの結果を受信すること１１０４を含む。この自動化された構造化処理アプリケーションの一実施例は、疾患重症度の知識ベースを参照する神経変性疾患重症度索引付けアプリケーションなどの医療画像処理アプリケーション１０４である。
【００７２】
方法１１００のいくつかの実施形態は、通信方法を介して、医療画像データに関して、またその結果に関して、第２のプロセッサから報告を受信すること９０６を含む。
【００７３】
方法１１００のいくつかの実施形態は、第３の水準のサービスに従って、第２のプロセッサから送り状を受信すること１１０６を含む。
【００７４】
図１２は、一実施形態による、第１のプロセッサによって実行される医療画像処理の方法１２００の流れ図である。
【００７５】
方法１２００のいくつかの実施形態は、医療画像データを第２のプロセッサに送信すること７０２を含む。
【００７６】
方法１２００のいくつかの実施形態は、カスタマのアカウント状態に関して、第２のプロセッサによる処理の専門家による監督と第２の専門家のコラボレーションとを要求する、第２のプロセッサによる第４の（例えば、「最高の」）水準のサービスを記載し、かつ結果の通信方法を選択するサービス注文要求データを第２のプロセッサに送信すること１２０２を含む。いくつかの実施形態では、通信方法は、電子メール、ＤＩＣＯＭ  ＳＲ、ファックス、ページ、およびＷｉＦｉまたは無線を含む。
【００７７】
方法１２００のいくつかの実施形態は、選択された通信方法を介して、第２のプロセッサから、第２のプロセッサによる医療画像データの第１の専門家によって監督されたサービス注文ベースの自動化された構造化処理アプリケーションの結果を受信すること１２０４を含む。この自動化された構造化処理アプリケーションの一実施例は、疾患重症度の知識ベースを参照する神経変性疾患重症度索引付けアプリケーションなどの医療画像処理アプリケーション１０４である。
【００７８】
方法１２００のいくつかの実施形態は、通信方法を介して、医療画像データに関して、またその結果に関して、第２のプロセッサから報告を受信すること９０６を含む。
【００７９】
方法１２００のいくつかの実施形態は、第３のプロセッサを介して、第２のプロセッサから、第２の専門家とのオンラインコラボレーションを受信すること１２０６を含む。
【００８０】
方法１２００のいくつかの実施形態は、第４の水準のサービスに従って、第２のプロセッサから送り状を受信すること１２０８を含む。送り状は、第３のプロセッサと、第１および第２の専門家ならびにその役割および差異とを記載する。
【００８１】
いくつかの実施形態では、方法２００〜１２００は、図１３のプロセッサ１３０４などのプロセッサによって実施される場合、プロセッサにそれぞれの方法を実行させる一続きの命令を表現する、搬送波で実施されるコンピュータデータ信号として実施される。別の実施形態では、方法２００〜１２００は、図１３のプロセッサ１３０４などのプロセッサにそれぞれの方法を実行させるよう指令することができる実行可能な命令を有するコンピュータアクセス可能媒体として実施される。様々な実施形態で、媒体は、磁気媒体、電子媒体、または光媒体である。
【００８２】
ハードウェアと動作環境
図１３は、異なる実施形態が実施され得る、ハードウェアと動作環境１３００の構成図である。図１３の記載は、それに関連していくつかの実施形態が実施され得る、コンピュータハードウェアおよび適した演算環境の概要を提供する。実施形態は、コンピュータ実行可能命令を実行するコンピュータに関して説明される。しかし、いくつかの実施形態は、コンピュータ実施可能命令が読出し専用メモリ内で実施されるコンピュータハードウェアで完全に実施されてもよい。いくつかの実施形態は、タスクを実行する遠隔装置が通信ネットワークを介してリンクされるクライアント／サーバ演算環境で実施されてもよい。プログラムモジュールは、分散型演算環境でローカル記憶装置および遠隔記憶装置の両方に配置されてよい。
【００８３】
コンピュータ１３０２は、Ｉｎｔｅｌ、Ｍｏｔｏｒｏｌａ、Ｃｙｒｉｘなどから市販されるプロセッサ１３０４を含む。コンピュータ１３０２は、ランダムアクセスメモリ（ＲＡＭ）１３０６、読出し専用メモリ（ＲＯＭ）１３０８、１つまたは複数の大容量記憶装置１３１０、および様々なシステム構成要素を処理装置１３０４に動作可能に結合するシステムバス１３１２も含む。メモリ１３０６、１３０８および大容量記憶装置１３１０は、コンピュータアクセス可能媒体の種類である。大容量記憶装置１３１０は、より具体的には、不揮発性コンピュータアクセス可能媒体の種類であり、１つまたは複数のハードディスクドライブと、フレキシブルディスクドライブと、光ディスクドライブと、テープカートリッジドライブとを含んでよい。プロセッサ１３０４は、コンピュータアクセス可能媒体上に記憶されたコンピュータプログラムを実行する。
【００８４】
コンピュータ１３０２は、通信装置１３１６を経由してインターネット１３１４に通信的に接続されてよい。インターネット１３１４の接続性は、当技術分野でよく知られている。一実施形態では、通信装置１３１６は、当技術分野で「ダイアルアップ接続」として知られているものを経由してインターネットに接続するために通信ドライバに応答するモデムである。別の実施形態では、通信装置１３１６はＥｔｈｅｒｎｅｔ（登録商標）またはそれ自体が当技術分野で「直接接続」（例えば、Ｔ１ラインなど）として知られているものを経由してインターネットに接続されるローカルエリアネットワーク（ＬＡＮ）に接続される類似のハードウェアネットワークカードである。
【００８５】
ユーザは、キーボード１３１８またはポインティングデバイス１３２０などの入力装置を介して、コンピュータ１３０２に命令および情報を入力する。キーボード１３１８は、当技術分野で知られているように、コンピュータ１３０２へのテキスト形式情報の入力を可能にし、実施形態は任意の特定の種類のキーボードに限定されない。ポインティングデバイス１３２０は、Ｍｉｃｒｏｓｏｆｔ  Ｗｉｎｄｏｗｓ（商標）のバージョンなどのオペレーティングシステムのグラフィカルユーザインタフェース（ＧＵＩ）によって提供されるスクリーンポインタの制御を可能にする。実施形態は、任意の特定のポインティングデバイス１３２０に限定されない。かかるポインティングデバイスは、マウス、タッチパッド、トラックボール、遠隔制御およびポイントスティックを含む。その他の入力装置（図示されず）は、マイクロフォン、ジョイスティック、ゲームパッド、パラボラアンテナ、スキャナなどを含むことができる。
【００８６】
いくつかの実施形態では、コンピュータ１３０２は、ディスプレイ装置１３２２に動作可能に結合される。ディスプレイ装置１３２２は、システムバス１３１２に接続される。ディスプレイ装置１３２２は、コンピュータのユーザによる閲覧のために、コンピュータ、ビデオおよびその他の情報を含む情報の表示を可能にする。実施形態は、任意の特定のディスプレイ装置１３２２に限定されない。かかるディスプレイ装置は、陰極線管（ＣＲＴ）ディスプレイ（モニタ）、ならびに液晶ディスプレイ（ＬＣＤ）などの平面型パネルディスプレイを含む。モニタに加えて、コンピュータは、一般に、プリンタなど、他の周辺入出力装置（図示されず）を含む。スピーカ１３２４および１３２６は、信号の音声出力を提供する。スピーカ１３２４および１３２６は、システムバス１３１２にも接続される。
【００８７】
コンピュータ１３０２は、コンピュータアクセス可能媒体ＲＡＭ１３０６上、ＲＯＭ１３０８上、および大量記憶装置１３１０上に記憶され、プロセッサ１３０４によって実行されるオペレーティングシステム（図示されず）も含む。オペレーティングシステムの例は、Ｍｉｃｒｏｓｏｆｔ  Ｗｉｎｄｏｗｓ（商標）、Ａｐｐｌｅ  ＭａｃＯＳ（商標）、Ｌｉｎｕｘ（商標）、ＵＮＩＸ（商標）を含む。例は、任意の特定のオペレーティングシステムに限定されず、また、かかるオペレーティングシステムの構成および使用は、当技術分野でよく知られている。
【００８８】
コンピュータ１３０２の実施形態は、任意の種類のコンピュータ１３０２に限定されない。様々な実施形態で、コンピュータ１３０２は、ＰＣ互換コンピュータ、ＭａｃＯＳ（商標）互換コンピュータ、Ｌｉｎｕｘ（商標）互換コンピュータ、またはＵＮＩＸ（商標）互換コンピュータを含む。かかるコンピュータの構成および動作は、当技術分野でよく知られている。
【００８９】
コンピュータ１３０２は、ユーザ制御可能なポインタを含むグラフィカルユーザインタフェース（ＧＵＩ）を提供するために、少なくとも１つのオペレーティングシステムを使用して操作されてよい。コンピュータ１３０２は、コンピュータ１３０２のユーザがイントラネット、エクストラネットまたはユニバーサルリソースロケータ（ＵＲＬ）アドレスによってアドレス指定されるインターネットワールドワイドウェブページにアクセスすることを可能にするために、少なくとも１つのオペレーティングシステム内で実行する、少なくとも１つのウェブブラウザアプリケーションプログラムを備えてよい。ブラウザアプリケーションプログラムの例は、Ｎｅｔｓｃａｐｅ  Ｎａｖｉｇａｔｏｒ（商標）およびＭｉｃｒｏｓｏｆｔ  Ｉｎｔｅｒｎｅｔ  Ｅｘｐｌｏｒｅｒ（商標）を含む。
【００９０】
コンピュータ１３０２は、遠隔コンピュータ１３２８など、１つまたは複数の遠隔コンピュータに対する論理接続を使用して、ネットワーク化された環境内で動作することが可能である。これらの論理接続は、コンピュータ１３０２に結合される、またはその一部である通信装置によって実現されてよい。実施形態は、特定の種類の通信装置に限定されない。遠隔コンピュータ１３２８は、別のコンピュータ、サーバ、ルータ、ネットワークＰＣ、クライアント、ピア装置またはその他の普通のネットワークノードであってよい。図１３に示される論理接続は、ローカルエリアネットワーク（ＬＡＮ）１３３０と広域ネットワーク（ＷＡＮ）１３３２とを含む。かかるネットワーク環境は、事務所、エンタープライズワイド（ｅｎｔｅｒｐｒｉｓｅ−ｗｉｄｅ）コンピュータネットワーク、イントラネット、エクストラネットおよびインターネットにおいて一般的である。
【００９１】
ＬＡＮネットワーク環境で使用される場合、コンピュータ１３０２と遠隔コンピュータ１３２８とは、通信装置１３１６の一種であるネットワークインタフェースまたはアダプタ１３３４を介してローカルネットワーク１３３０に接続される。遠隔コンピュータ１３２８は、ネットワーク装置１３３６も含む。通常のＷＡＮネットワーク環境で使用される場合、コンピュータ１３０２と遠隔コンピュータ１３２８とは、モデム（図示されず）を介してＷＡＮ１３３２と通信する。内部のものであっても外部のものであってもよいモデムは、システムバス１３１２に接続される。ネットワーク環境で、コンピュータ１３０２に関連して示される、またはその一部であるプログラムモジュールは、遠隔コンピュータ１３２８内に記憶されてよい。
【００９２】
コンピュータ１３０２は、電源装置１３３８も含む。各電源装置は電池であってもよい。
【００９３】
装置の実施
図１４〜３１を参照すると、図１のシステム概要と、図２〜１２に関して説明される方法に関連して、特定の実施形態が説明される。図１４〜３１は、支払い請求割引によって奨励される、医療カスタマ、医療専門家および／または医療サプライヤの間の医療画像処理の分散型システムを説明する。
【００９４】
図１４は、集中化された通信と医療画像処理アプリケーションとを（１人または複数の）専門家とカスタマとに提供するための装置１４００の構成図である。装置１４００は、図１のシステムに実質的に類似する。図１４は、医療画像処理アプリケーションおよびサービスの広い導入と実施とをサポートおよび奨励する、画像処理アプリケーションにおけるデータのより少なく非集中化された管理、配信および伝送に対する当技術分野における必要性を解決する医療画像アプリケーションを介した、異種医療実体間の有効なアプリケーション処理と、医療画像データの配信とを説明する。図１４はまた、データ生成サイトからの臨床データベースの改善されたアクセスを提供し、また専門的なアドバイスを取得して、より大きな医療団体にガイダンスを提供するために、一流の指導的な医療専門家との提携を提供する装置を説明する。
【００９５】
装置１４００は、アプリケーションサーバ１４０２を含む。一般に、サーバは、ローカルであっても、または分散されてもよい、複数のコンピュータを扱うための演算インフラストラクチャである。サーバは、クライアントサイトにあっても、セントラルサイトにあってもよいが、アプリケーションサービスプロバイダによって操作される。アプリケーションサーバ１４０２は、図１のＡＳＰ１０２に実質的に類似する。
【００９６】
アプリケーションサーバ１４０２は、特定の臨床的な必要のため画像データを分析するための処理後ソフトウェアを含む１つまたは複数のアプリケーション１４０４を含む。１つまたは複数のアプリケーション１４０４は、アプリケーションニーズと、特定用途向けの疾患重症度の知識ベースと、処理アルゴリズムとに従って分離された正規データの基準データベースを含む疾患重症度の知識ベースを参照する神経変性疾患重症度索引付けアプリケーションなど、図１の１つまたは複数の医療画像処理アプリケーション１０４に実質的に類似する。アプリケーションサーバは、多くの場合、アプリケーションサービスプロバイダの場所であるセントラルサイトまたはセントラルサーバと呼ばれる。
【００９７】
装置１４００は、アプリケーションサービスのユーザの場所であるカスタマサイト１４０６も含む。ユーザは、カスタマサイトで（１つまたは複数の）アプリケーション１４０４を使用する臨床医または医療職員である。カスタマサイト１４０６は、データベース（ＤＢ）１４０８など、カスタマサイト１４０６での構成要素であるカスタマ構成要素も含む。
【００９８】
カスタマサイト１４０６は、アプリケーションサーバ１４０２と通信をやりとりする通信手段１４１０も含む。通信手段１４１０は、患者のプライバシーに関してすべてのＨＩＰＡＡガイドラインを満たすセキュア環境で実行される。データ通信は、インターネットまたはイントラネットを使用してＤＩＣＯＭを介することが好ましい。専用の通信方法は、カスタマエンドとサーバエンドの両方でサービス種類の識別のために使用される。サービス種類は、（適切な割引の後で）適切な支払い請求（ｂｉｌｌｉｎｇ）をもたらす。報告の閲覧ならびにアプリケーションの遠隔アクセスを可能にするウェブベースの通信が存在する。
【００９９】
カスタマサイト１４０６のいくつかの実施形態は、アカウント管理と、アクセス制御と、セキュリティと、スケジューリングとを提供する方法として機能する管理手段も含む。カスタマサイト１４０６のいくつかの実施形態は、ウェブアクセスおよびユーザインタフェース（ＵＩ）も含む。ウェブアクセスは、遠隔アプリケーション設置ならびにサービス手順に関してアプリケーションサーバ１４０２と通信をやりとりする手段のために提供される。
【０１００】
装置１４００は、特定分野の専門家１４１２および現地の専門家または技術者／アプリケーションスペシャリスト１４１４も含む。
【０１０１】
図１５〜１６は、奨励される医療画像データの処理において、より大きな医療団体に対する医療専門家の提携およびコラボレーションと、異種医療実体間の専門家の医療コラボレーションとを改善するアプリケーションサービスプロバイダシステムを説明する。図１５〜１６は、医療画像処理アプリケーションおよびサービスの広い導入と実施とをサポートおよび奨励する、画像処理アプリケーションにおけるデータのより少なく非集中化された管理、配信および伝送に対する当技術分野における必要性を解決する医療画像アプリケーションを介した、異種医療実体間の有効なアプリケーション処理と、医療画像データの配信とを説明する。
【０１０２】
図１５は、一実施形態による、アプリケーションサービスプロバイダシステム１５００の構成図である。装置１５００は、図１のＡＳＰ１０２および図１４のアプリケーションサーバ１４０２の一実施形態である。
【０１０３】
アプリケーションサービスプロバイダシステム１５００のいくつかの実施形態は、カスタマ１５０４と通信するために動作可能な、セキュア通信構成要素１５０２を含む。カスタマ１５０４の一実施例は、図１の医療カスタマ１０８である。
【０１０４】
アプリケーションサービスプロバイダシステム１５００のいくつかの実施形態は、セキュア通信構成要素１５０２を介して、カスタマ１５０４から、注文要求書１５０８を受信するために動作可能なアプリケーション構成要素１５０６を含む。アプリケーション構成要素１５０６は、結果をカスタマ１５０４に提供するために、注文要求書１５０２に関して医療アプリケーションを実行するために動作可能である。アプリケーションサービスプロバイダシステム１５００のいくつかの実施形態では、医療アプリケーション構成要素１５０６は、画像処理アプリケーションおよび／または医療画像処理アプリケーションならびに構造化医療処理アプリケーションを含む。
【０１０５】
アプリケーションサービスプロバイダシステム１５００のいくつかの実施形態は、トランザクション構成要素１５１０を含む。トランザクション構成要素１５１０は、カスタマ１５０４に対して少なくとも１つの刺激策を含む段階的な料金体系を提供するために動作可能である。
【０１０６】
アプリケーションサービスプロバイダシステム１５００のいくつかの実施形態は、コラボレーション構成要素１５１２を含む。コラボレーション構成要素１５１２は、アプリケーション構成要素１５０６からの結果の解明の際にコラボレーションを促すために動作可能である。
【０１０７】
アプリケーションサービスプロバイダシステム１５００のいくつかの実施形態は、管理構成要素１５１４を含む。管理構成要素１５１４は、注文要求書１５０８を経路付けるために動作可能である。管理構成要素１５１４は、注文要求書１５０８のタクスに関して人員をスケジュールするために動作可能である。
【０１０８】
図１６は、一実施形態による、トランザクションデータ構造１６００の図である。トランザクションデータ構造１６００は、少なくとも１つの刺激策を含む段階的な料金体系を提供するために動作可能な、図１５のトランザクション構成要素１５１０内のデータ構造の一実施形態である。
【０１０９】
トランザクションデータ構造１６００は、段階的な料金体系および少なくとも１つの刺激策１６０２を含む。段階的な料金体系および（１つまたは複数の）刺激策１６０２のいくつかの実施形態は、複数のカスタマサービスのうちの１つに関連する複数の支払い請求割引（１６０４）を含む。
【０１１０】
複数の支払い請求割引と複数のカスタマサービス１６０４のいくつかの実施形態は、カスタマが相談を提供する場合の最大割引と、カスタマがデータを伴う臨床転帰を提供する場合の徐々に減る割引と、カスタマがデータだけを提供する場合の最小割引とを含む。
【０１１１】
複数の支払い請求割引と複数のカスタマサービス１６０４のいくつかの実施形態は、画像データを提供するカスタマサービスに関する第１の支払い請求割引と、画像データと臨床転帰とを提供するカスタマサービスに関する第２の支払い請求割引と、臨床画像分析に関する相談を提供するカスタマサービスに関する第３の支払い請求割引とを含む。
【０１１２】
図１７〜２８は、医療画像処理アプリケーションおよびサービスの臨床上効果的な広い導入と実施とをサポートおよび奨励する、画像処理アプリケーションにおけるデータのより有効な集中化された管理、配信および伝送を提供する、異種医療実体からの医療画像データの集中化されたアプリケーション処理を説明する。図１７〜２８は、専門的な勧告を取得して、医療カスタマにガイダンスを提供するために、一流の指導的な医療専門家との提携も提供する。
【０１１３】
図１７は、一実施形態による、ネットワークアプリケーションフレームワークシステムのカスタマサイト１７００の構成図である。カスタマサイト１７００は、図１の医療カスタマ１０８の一実施形態であり、図１４のカスタマサイト１４０６の一実施形態である。
【０１１４】
カスタマサイト１７００のいくつかの実施形態は、セキュア通信構成要素１７０２を含む。セキュア通信構成要素１７０２は、図１４の通信手段１４１０の一実施形態である。
【０１１５】
カスタマサイト１７００のいくつかの実施形態は、セキュア通信構成要素１７０２を介して、医療データ１７０６をサーバ（図示されず。例えば、図１のＡＳＰ１０２または図１４のアプリケーションサーバ１４０２）に送信するために動作可能なクライアント構成要素１７０４を含む。クライアント構成要素１７０４は、セキュア通信構成要素１７０２を介して、サーバから処理アプリケーション結果１７０８を受信するためにさらに動作可能である。
【０１１６】
カスタマサイト１７００のいくつかの実施形態は、サーバから受信される結果１７０８を提示するために動作可能なグラフィカルユーザインタフェース構成要素１７１０を含む。カスタマサイト１７００のいくつかの実施形態は、医療勧告を受信するために動作可能な専門家インタフェース構成要素１７１２を含む。カスタマサイト１７００のいくつかの実施形態は、セキュア通信構成要素１７０２を介して、少なくとも１つの刺激策１７１６を受信するために動作可能な刺激策構成要素１７１４を含む。
【０１１７】
刺激策１７１６のいくつかの実施形態は、カスタマが相談を提供する場合の最大割引と、カスタマがデータを伴う臨床転帰を提供する場合の徐々に減る割引と、カスタマがデータだけを提供する場合の最小割引とを含む。
【０１１８】
カスタマサイト１７００のいくつかの実施形態では、刺激策１７１６は、画像データを提供するカスタマサービスに関する第１の支払い請求割引と、画像データと臨床転帰とを提供するカスタマサービスに関する第２の支払い請求割引と、臨床画像分析に関する相談を提供するカスタマサービスに関する第３の支払い請求割引とを含む。
【０１１９】
カスタマサイト１７００のいくつかの実施形態は、疾患重要度の知識ベース参照する神経変性疾患重症度索引付けアプリケーションおよび／または図１４の（１つまたは複数の）アプリケーション１４０４を含んでよい、図１の医療画像処理アプリケーション１０４などの画像処理アプリケーションおよび／または医療画像処理アプリケーション、ならびに構造化医療処理アプリケーションを含む。
【０１２０】
図１８は、一実施形態による、ネットワークアプリケーションフレームワークシステムのサーバ１８００の構成図である。サーバ１８００は、図１のＡＳＰ１０２、図１４のアプリケーションサーバ１４０２および／または図１５のＡＳＰ１５００の一実施形態である。
【０１２１】
サーバ１８００のいくつかの実施形態は、図１５のセキュア通信構成要素１５０２および／または図１７のセキュア通信構成要素１７０２に実質的に類似するセキュア通信構成要素１８０２を含む。
【０１２２】
サーバ１８００のいくつかの実施形態は、セキュア通信構成要素を介して、クライアント（図示されず）からデータ１８０６を受信するために動作可能なサーバ構成要素１８０４を含む。クライアントの例は、図１の医療カスタマ１０８と、図１４のカスタマサイト１４０６と、図１５のカスタマ１５０４と、図１７のカスタマサイト１７００とを含む。データ１８０６は、画像データと医療画像データとを含んでよい。
【０１２３】
サーバ１８００のいくつかの実施形態は、データ１８０６を処理するために動作可能であり、また結果１８１０を生成するために動作可能な医療アプリケーション構成要素１８０８を含む。サーバ構成要素１８０４は、セキュア通信構成要素１８０２を介して、結果１８１０をクライアントに送信するために動作可能である。いくつかの実施形態では、医療アプリケーション構成要素１８０８は、特定の臨床的な必要のため画像データを分析するために動作可能な処理後ソフトウェアを含む。
【０１２４】
サーバ１８００のいくつかの実施形態は、少なくとも１つの刺激策を含む段階的な料金体系１８１４を提供するために動作可能なトランザクション構成要素１８１２を含む。
【０１２５】
いくつかの実施形態では、少なくとも１つの刺激策を含む段階的な料金体系は、第１の支払い請求割引と、第２の支払い請求割引と、第３の支払い請求割引とを含んでよい、複数の支払い請求割引と、最大割引と、最小割引とを包括してよい、図１６の段階的な料金体系および刺激策１６０２として実施される。
【０１２６】
図１９は、一実施形態による、ネットワークアプリケーションフレームワークシステム１９００のクライアントとサーバの構成図である。
【０１２７】
ネットワークアプリケーションフレームワークシステム１９００は、クライアント１９０２とサーバ１９０４とを含む。
【０１２８】
クライアント１９０２は、セキュア通信構成要素１９０６を含む。クライアント１９０２は、セキュア通信構成要素１９０６を介して、データ１９１０をサーバ１９０４に送信するために動作可能なクライアント構成要素１９０８と、セキュア通信構成要素１９０６を介して、サーバ１９０４から結果１９１２を受信するために動作可能なクライアント構成要素１９０８とを含む。
【０１２９】
クライアント１９０２は、サーバ１９０４から受信される結果１９１２を提示するために動作可能な専門家インタフェース構成要素１９１６も含む。専門家インタフェース構成要素１９１６は、勧告１９１８を受信するために動作可能でもある。
【０１３０】
クライアント１９０２は、クライアント１９０２を操作する実体に対して少なくとも１つの刺激策１９２２を受信するために動作可能なクライアントトランザクション構成要素１９２０も含む。
【０１３１】
クライアント１９０２の例は、図１の医療カスタマ１０８と、図１４のカスタマサイト１４０６と、図１５のカスタマ１５０４と、図１７のカスタマサイト１７００とを含む。データ１９１０は、画像データと医療画像データとを含んでよい。
【０１３２】
サーバ１９０４は、セキュア通信構成要素１９２４を含む。サーバ１９０４は、セキュア通信構成要素１９２４を介して、クライアント１９０２からデータ１９１０を受信するために動作可能なサーバ構成要素１９２６を含む。サーバ１９０４は、データ１９１０を処理するために動作可能であり、また結果１９１２を生成するために動作可能な医療アプリケーション構成要素１９２８を含む。サーバ１９０４は、セキュア通信構成要素１９２４を介して、結果１９１２をクライアント１９０２に送信するために動作可能である。サーバ１９０４は、少なくとも１つの刺激策を含む、段階的な料金体系１９３２を提供するために動作可能なトランザクション構成要素１９３０を含む。サーバ１９０４は、図１のＡＳＰ１０２、図１４のアプリケーションサーバ１４０２、および／または図１５のＡＳＰ１５００の一実施形態である。
【０１３３】
いくつかの実施形態では、段階的な料金体系１９３２および少なくとも１つの刺激策は、第１の支払い請求割引と、第２の支払い請求割引と、第３の支払い請求割引とを含んでよい、複数の支払い請求割引と、最大割引と、最小割引とを包括してよい、図１６の段階的な料金体系および刺激策１６０２として実施される。
【０１３４】
医療アプリケーション構成要素１９２８のいくつかの実施形態は、疾患重症度の知識ベースを参照する神経変性疾患重症度索引付けアプリケーションおよび／または図１４の（１つまたは複数の）アプリケーション１４０４を含んでよい、図１の医療画像処理アプリケーション１０４など、画像処理アプリケーションおよび／または医療画像処理アプリケーションならびに構造化医療処理アプリケーションを含む。
【０１３５】
図２０は、一実施形態による、ネットワークアプリケーションフレームワークシステム内のクライアント２０００の構成図である。
【０１３６】
クライアント２０００は、セキュア通信構成要素２００６を含む。クライアント２０００は、セキュア通信構成要素２００６を介して、データ２０１０をサーバに送信するために動作可能なクライアント構成要素２００８と、セキュア通信構成要素２００６を介して、サーバから結果２０１２を受信するために動作可能なクライアント構成要素２００８とを含む。いくつかの実施形態では、データ２０１０は、医療画像データ、構造化医療データ、および構造化医療画像データのうちの１つである。
【０１３７】
クライアント２０００は、サーバから受信される結果２０１２を提示するために動作可能な専門家インタフェース構成要素２０１６も含む。専門家インタフェース構成要素２０１６はまた、勧告２０１８を受信するために動作可能でもある。
【０１３８】
クライアント２０００はまた、クライアント２０００を操作する実体に対して専門家のアドバイスのための複数の刺激策２０２２を受信するために動作可能な刺激策構成要素２０２０も含む。
【０１３９】
クライアント２０００の例は、図１の医療カスタマ１０８と、図１４のカスタマサイト１４０６と、図１５のカスタマ１５０４と、図１７のカスタマサイト１７００とを含む。データ２０１０は、画像データと医療画像データとを含んでよい。
【０１４０】
いくつかの実施形態では、複数の刺激策２０２２は、第１の支払い請求割引と、第２の支払い請求割引と、第３の支払い請求割引とを含んでよい、複数の支払い請求割引と、最大割引と、最小割引とを包括してよい、図１６の段階的な料金体系および刺激策１６０２として実施される。
【０１４１】
図２１は、一実施形態による、ネットワークアプリケーションフレームワークシステムのサーバ２１００の構成図である。サーバ２１００は、図１のＡＳＰ１０２、図１４のアプリケーションサーバ１４０２、および／または図１５のＡＳＰ１５００の一実施形態である。
【０１４２】
サーバ２１００のいくつかの実施形態は、図１５のセキュア通信構成要素１５０２および／または図１７のセキュア通信構成要素１７０２に実質的に類似するセキュア通信構成要素２１０３を含む。
【０１４３】
サーバ２１００のいくつかの実施形態は、セキュア通信構成要素を介して、クライアント（図示されず）からデータ２１０６を受信するために動作可能なサーバ構成要素２１０４を含む。クライアントの例は、図１の医療カスタマ１０８と、図１４のカスタマサイト１４０６と、図１５のカスタマ１５０４と、図１７のカスタマサイト１７００とを含む。データ２１０６は、画像データと医療画像データとを含んでよい。
【０１４４】
サーバ２１００のいくつかの実施形態は、データ２１０６を処理するために動作可能であり、また結果２１１０を生成するために動作可能な医療アプリケーション構成要素２１０８を含む。サーバ構成要素２１０４は、セキュア通信構成要素２１０２を介して、結果２１１０をクライアントに送信するために動作可能である。いくつかの実施形態では、医療アプリケーション構成要素２１０８は、特定の臨床的な必要のため画像データを分析するために動作可能な処理後ソフトウェアを含む。
【０１４５】
サーバ２１００のいくつかの実施形態は、複数の刺激策主導のデータ２１１４を提供するために動作可能なトランザクション構成要素２１１２を含む。いくつかの実施形態では、刺激策主導のデータは、データ、データと転帰、およびデータと転帰と相談のうちの１つである。いくつかの別の実施形態では、刺激策主導のデータは、第１の支払い請求割引と、第２の支払い請求割引と、第３の支払い請求割引とを含んでよい、複数の支払い請求割引と、最大割引と、最小割引とを包括してよい、図１６の段階的な料金体系および刺激策１６０２として実施される。
【０１４６】
図２２は、一実施形態による、ネットワークアプリケーションフレームワークシステム２２００のクライアントとサーバの構成図である。
【０１４７】
ネットワークアプリケーションフレームワークシステム２２００は、クライアント２２０２とサーバ２２０４とを含む。
【０１４８】
クライアント２２０２は、セキュア通信構成要素２２０６を含む。クライアント２２０２は、セキュア通信構成要素２２０６を介して、サーバ２２０４にデータ２２１０を送信するために動作可能なクライアント構成要素２２０８と、セキュア通信構成要素２２０６を介して、サーバ２２０４から結果２２１２を受信するために動作可能でもあるクライアント構成要素２２０８とを含む。
【０１４９】
クライアント２２０２は、サーバ２２０４から受信される結果２２１２を提示するために動作可能な専門家インタフェース構成要素２２１６も含む。専門家インタフェース構成要素２２１６はまた、勧告２２１８を受信するために動作可能でもある。
【０１５０】
クライアント２２０２は、サーバ２２０４を操作する実体に対して専門家のアドバイスのための複数の刺激策２２２２を受信するために動作可能なクライアントトランザクション構成要素２２２０も含む。
【０１５１】
クライアント２２０２の例は、図１の医療カスタマ１０８と、図１４のカスタマサイト１４０６と、図１５のカスタマ１５０４と、図１７のカスタマサイト１７００とを含む。データ２２１０は、画像データと医療画像データとを含んでよい。
【０１５２】
サーバ２２０４は、セキュア通信構成要素２２２４を含む。サーバ２２０４は、セキュア通信構成要素２２２４を介して、クライアント２２０２からデータ２２１０を受信するために動作可能なサーバ構成要素２２２６を含む。サーバ２２０４は、データ２２１０を処理するために動作可能であり、また結果２２１２を生成するために動作可能な医療アプリケーション構成要素２２２８を含む。サーバ２２０４は、セキュア通信構成要素２２２４を介して、クライアント２２０２に結果２２１２を送信するために動作可能である。サーバ２２０４は、複数の刺激策２２２２を提供するために動作可能なトランザクション構成要素２２３０を含む。サーバ２２０４は、図１のＡＳＰ１０２、図１４のアプリケーションサーバ１４０２、および／または図１５のＡＳＰ１５００の一実施形態である。
【０１５３】
いくつかの実施形態では、刺激策２２２２は、第１の支払い請求割引と、第２の支払い請求割引と、第３の支払い請求割引とを含んでよい、複数の支払い請求割引と、最大割引と、最小割引とを包括してよい、図１６の段階的な料金体系および刺激策１６０２として実施される。
【０１５４】
医療アプリケーションコンポーネント２２２８のいくつかの実施形態は、疾患重症度の知識ベースを参照する神経変性疾患重症度索引付けアプリケーションを含んでよい図１の医療画像処理アプリケーション１０４および／または図１４の（１つまたは複数の）アプリケーション１４０４を含んでよい、図１の医療画像処理アプリケーション１０４などの画像処理アプリケーションおよび／または医療画像処理アプリケーションならびに構造化医療処理アプリケーションを含む。
【０１５５】
図２３は、一実施形態による、ネットワークアプリケーションフレームワークシステムのカスタマサイト２３００の構成図である。カスタマサイト２３００は、図１の医療カスタマ１０８の一実施形態および図１４のカスタマサイト１４０６の一実施形態である。
【０１５６】
カスタマサイト２３００のいくつかの実施形態は、セキュア通信構成要素２３０２を含む。セキュア通信構成要素２３０２は、図１４の通信手段１４１０の一実施形態である。
【０１５７】
カスタマサイト２３００のいくつかの実施形態は、セキュア通信構成要素２３０２を介して、医療データ２３０６をサーバ（図示されず。図１のＡＳＰ１０２または図１４のアプリケーションサーバ１４０２）に送信するために動作可能なクライアント構成要素２３０４を含む。クライアント構成要素２３０４は、セキュア通信構成要素２３０２を介して、サーバから処理アプリケーション結果２３０８を受信するためにさらに動作可能である。
【０１５８】
カスタマサイト２３００のいくつかの実施形態は、サーバから受信される結果２３０８を提示するために動作可能なグラフィカルユーザインタフェース構成要素２３１０を含む。カスタマサイト２３００のいくつかの実施形態は、医療勧告を受信するために動作可能な専門家インタフェース構成要素２３１２を含む。
【０１５９】
カスタマサイト２３００のいくつかの実施形態は、セキュア通信構成要素２３０２を介して、結果２３０８を解明する際にコラボレーションを促すために動作可能なコラボレーション構成要素２３１４を含む。
【０１６０】
カスタマサイト２３００のいくつかの実施形態は、複数の刺激策２３１８を受信するために動作可能なトランザクション構成要素２３１６を含む。
【０１６１】
いくつかの実施形態では、刺激策２３１８は、第１の支払い請求割引と、第２の支払い請求割引と、第３の支払い請求割引とを含んでよい、複数の支払い請求割引と、最大割引と、最小割引とを包括してよい、図１６の段階的な料金体系および刺激策１６０２として実施される。
【０１６２】
いくつかの実施形態では、刺激策２３１８は、カスタマが相談を提供する場合の最大割引と、カスタマがデータを伴う臨床転帰を提供する場合の徐々に減る割引と、カスタマがデータだけを提供する場合の最小割引とを含む。
【０１６３】
カスタマサイト２３００のいくつかの実施形態では、刺激策２３１８は、画像データを提供するカスタマサービスに関連する第１の支払い請求割引と、画像データと臨床転帰とを提供するカスタマサービスに関連する第２の支払い請求割引と、臨床画像分析に関する相談を提供するカスタマサービスに関連する第３の支払い請求割引とを含む。
【０１６４】
図２４は、一実施形態による、ネットワークアプリケーションフレームワークシステムのサーバ２４００の構成図である。サーバ２４００は、図１のＡＳＰ１０２、図１４のアプリケーションサーバ１４０２および／または図１５のＡＳＰ１５００の一実施形態である。
【０１６５】
サーバ２４００のいくつかの実施形態は、図１５のセキュア通信構成要素１５０２および／または図１７のセキュア通信構成要素１７０２に実質的に類似してよいセキュア通信構成要素２４０２を含む。
【０１６６】
サーバ２４００のいくつかの実施形態は、セキュア通信構成要素を介して、クライアント（図示されず）からデータ２４０６を受信するために動作可能なサーバ構成要素２４０４を含む。クライアントの例は、図１の医療カスタマ１０８と、図１４のカスタマサイト１４０６と、図１５のカスタマ１５０４と、図１７のカスタマサイト１７００とを含む。データ２４０６は、画像データと医療画像データとを含んでよい。
【０１６７】
サーバ２４００のいくつかの実施形態は、データ２４０６を処理するために動作可能であり、また結果２４１０を生成するために動作可能な医療アプリケーション構成要素２４０８を含む。サーバ構成要素２４０４は、セキュア通信構成要素２４０２を介して、結果２４１０をクライアントに送信するために動作可能である。いくつかの実施形態では、医療アプリケーション構成要素２４０８は、特定の臨床的な必要のため画像データを分析するために動作可能な処理後ソフトウェアを含む。
【０１６８】
サーバ２４００のいくつかの実施形態は、少なくとも１つの刺激策を含む段階的な料金体系２４１４を提供するために動作可能なトランザクション構成要素２４１２を含む。
【０１６９】
いくつかの実施形態では、少なくとも１つの刺激策を含む段階的な料金体系は、第１の支払い請求割引と、第２の支払い請求割引と、第３の支払い請求割引とを含んでよい、複数の支払い請求割引と、最大割引と、最小割引とを包括してよい、図１６の段階的な料金体系および刺激策１６０２として実施される。
【０１７０】
サーバ２４００のいくつかの実施形態は、結果２４１０の解明の際にコラボレーションを促すために動作可能なコラボレーション構成要素２４１６を含む。
【０１７１】
図２５は、一実施形態による、ネットワークアプリケーションフレームワークシステムの専門家サイト２５００の構成図である。専門家サイト２５００は、図１の医療専門家１０６の一実施形態、ならびに図１４の特定分野の専門家１４１２および現場の専門家１４１４の一実施形態である。
【０１７２】
専門家サイト２５００のいくつかの実施形態は、セキュア通信構成要素２５０２を含む。
【０１７３】
専門家サイト２５００のいくつかの実施形態は、セキュア通信構成要素２５０２を介して、サーバ（図示されず。例えば、図１のＡＳＰ１０２または図１４のアプリケーションサーバ１４０２）から医療データ２５０６を受信するために動作可能な専門家構成要素２５０４を含む。専門家構成要素２４０５は、セキュア通信構成要素２５０２を介して、サーバから処理アプリケーション結果２５０８を受信するためにさらに動作可能である。
【０１７４】
専門家サイト２５００のいくつかの実施形態は、サーバから受信される結果２５０８を提示するために動作可能なグラフィカルユーザインタフェース構成要素２５１０を含む。専門家サイト２５００のいくつかの実施形態は、専門家サイト２５００のオペレータから医療勧告２５１３を受信するために動作可能な専門家インタフェース構成要素２５１２を含む。
【０１７５】
専門家サイト２５００のいくつかの実施形態は、セキュア通信構成要素２５０２を介して、結果２５０８の解明の際にコラボレーションを促すために動作可能なコラボレーション構成要素２５１４を含む。
【０１７６】
図２６は、一実施形態による、ネットワークアプリケーションフレームワークシステム２６００のクライアントおよびサーバの構成図である。
【０１７７】
ネットワークアプリケーションフレームワークシステム２６００は、クライアント２６０２とサーバ２６０４とを含む。
【０１７８】
クライアント２６０２は、セキュア通信構成要素２６０６を含む。クライアント２６０２は、セキュア通信構成要素２６０６を介して、データ２６１０をサーバ２６０４に送信するために動作可能なクライアント構成要素２６０８を含み、クライアント構成要素２６０８は、セキュア通信構成要素２６０６を介して、サーバ２６０４から結果２６１２を受信するために動作可能でもある。
【０１７９】
クライアント２６０２は、サーバ２６０４から受信される結果２６１２を提示するために動作可能な専門家インタフェース構成要素２６１６も含む。専門家インタフェース構成要素２６１６はまた、勧告２６１８を受信するために動作可能でもある。
【０１８０】
クライアント２６０２は、結果２６１２および勧告２６１８の解明の際にコラボレーションを促すために動作可能なクライアントコラボレーション構成要素２６２０も含む。
【０１８１】
クライアント２６０２の例は、図１の医療カスタマ１０８と、図１４のカスタマサイト１４０６と、図１５のカスタマ１５０４と、図１７のカスタマサイト１７００とを含む。データ２６１０は、画像データと医療画像データとを含んでよい。
【０１８２】
サーバ２６０４は、セキュア通信構成要素２６２４を含む。サーバ２６０４は、セキュア通信構成要素２６２４を介して、クライアント２６０２からデータ２６１０を受信するために動作可能なサーバ構成要素２６２６を含む。サーバ２６０４は、データ２６１０を処理するために動作可能であり、また結果２６１２を生成するために動作可能な医療アプリケーション構成要素２６２８を含む。サーバ２６０４は、セキュア通信構成要素２６２４を介して、結果２６１２をクライアント２６０２に送信するために動作可能である。サーバ２６０４は、結果と勧告の解明の際にコラボレーションを促すために動作可能なコラボレーション構成要素２６３０を含む。サーバ２６０４は、図１のＡＳＰ１０２、図１４のアプリケーションサーバ１４０２および／または図１５のＡＳＰ１５００の一実施形態である。
【０１８３】
医療アプリケーション構成要素２６２８のいくつかの実施形態は、疾患重要度の知識ベースおよび／または図１４の（１つまたは複数の）アプリケーション１４０４を参照する神経変性疾患重症度索引付けアプリケーションを含んでよい、図１の医療画像処理アプリケーション１０４などの画像処理アプリケーションおよび／または医療画像処理アプリケーション、ならびに構造化医療処理アプリケーションを含む。
【０１８４】
図２７は、一実施形態による、カスタマと医療専門家との間のコラボレーションをサポートするシステム２７００の構成図である。システム２７００は、図１のＡＳＰ１０２、図１４のアプリケーションサーバ１４０２および／または図１５のＡＳＰ１５００の一実施形態である。
【０１８５】
システム２７００のいくつかの実施形態は、カスタマと医療専門家との間の交換を加減する目的でカスタマと医療専門家と通信するために動作可能なセキュア通信構成要素２７０２を含む。いくつかの実施形態では、セキュア通信構成要素２７０２は、図１５のセキュア通信構成要素１５０２および／または図１７のセキュア通信構成要素１７０２に実質的に類似する。
【０１８６】
システム２７００のいくつかの実施形態は、構造化医療処理アプリケーション構成要素２７０６を使用して、カスタマと医療専門家との間の交換を加減するために動作可能なカスタマ専門家間のセキュア交換構成要素２７０４を含む。いくつかの実施形態では、交換は、基本的に、カスタマと医療専門家との間に成り立つ。
【０１８７】
システム２７００のいくつかの実施形態は、カスタマ医療専門家間の交換構成要素２７０４とセキュア通信構成要素２７０２とを介して、カスタマと医療専門家との間でデータを交換するために動作可能なコラボレーション構成要素２７０８を含む。いくつかの実施形態では、データは、カスタマから受信される医療画像データ２７１０および／または医療画像データの神経変性疾患重症度索引付け処理の結果２７１２を含む。
【０１８８】
医療処理アプリケーション構成要素２７０６のいくつかの実施形態は、データを処理するために動作可能であり、また結果２７１２を生成するために動作可能である。カスタマ専門家間の交換構成要素２７０４は、セキュア通信構成要素２７０２を介して、結果２７１２をクライアントに送信するために動作可能である。いくつかの実施形態では、医療アプリケーション構成要素２７０８は、特定の臨床的な必要のため画像データを分析するための処理後ソフトウェアを含む。
【０１８９】
システム２７００のいくつかの実施形態は、少なくとも１つの刺激策を含む段階的な料金体系２７１６を提供するために動作可能なトランザクション構成要素２７１４を含む。いくつかの実施形態では、少なくとも１つの刺激策を含む段階的な料金体系は、第１の支払い請求割引と、第２の支払い請求割引と、第３の支払い請求割引とを含んでよい、複数の支払い請求割引と、最大割引と、最小割引とを包括してよい、図１６の段階的な料金体系および刺激策１６０２として実施される。
【０１９０】
図２８は、一実施形態による、カスタマと医療専門家との間のコラボレーションをサポートするシステム２８００の構成図である。システム２８００は、図１のＡＳＰ１０２、図１４のアプリケーションサーバ１４０２および／または図１５のＡＳＰ１５００の一実施形態である。
【０１９１】
システム２８００のいくつかの実施形態は、カスタマと通信するために動作可能なカスタマセキュア通信構成要素２８０２を含む。システム２８００のいくつかの実施形態は、サプライヤと通信するために動作可能なサプライヤセキュア通信構成要素２８０４を含む。
【０１９２】
システム２８００のいくつかの実施形態は、医療分野の専門家と通信するために動作可能な専門家セキュア通信構成要素２８０６を含む。医療分野の専門家は、一般に、特定の臨床的な必要のため画像データを分析するために動作可能な医療画像処理後ソフトウェアを含む医療アプリケーション２８０８によって生成された結果を解釈する上で深い知識を有する臨床分野の指導的人物である。
【０１９３】
いくつかの実施形態では、データは、カスタマから受信される医療画像データ２８１２および／または医療画像データの神経変性疾患重症度索引付け処理の結果２８１４を含む。
【０１９４】
いくつかの実施形態では、カスタマセキュア通信構成要素２８０２、サプライヤセキュア通信構成要素２８０４および専門家セキュア通信構成要素２８０６は、図１５のセキュア通信構成要素１５０２および／または図１７のセキュア通信構成要素１７０２と実質的に類似する。いくつかの実施形態では、カスタマセキュア通信構成要素２８０２と、サプライヤセキュア通信構成要素２８０４と、専門家セキュア通信構成要素２８０６とは、単一のセキュア通信構成要素からなる。
【０１９５】
システム２８００のいくつかの実施形態は、カスタマと、サプライヤと、医療専門家との間の交換を加減するために動作可能な交換構成要素２８１０を含む。
【０１９６】
医療処理アプリケーション構成要素２８０６のいくつかの実施形態は、データを処理するために動作可能であり、また結果２８１２を生成するために動作可能である。カスタマ専門家間の交換構成要素２８０４は、セキュア通信構成要素２８０２を介して、結果２８１２をクライアントに送信するために動作可能である。いくつかの実施形態では、医療アプリケーション構成要素２８０８は、特定の臨床的な必要のため画像データを分析するために動作可能な処理後ソフトウェアを含む。
【０１９７】
システム２８００のいくつかの実施形態は、少なくとも１つの刺激策を含む段階的料金体系２８１６を提供するために動作可能なトランザクション構成要素２８１４を含む。いくつかの実施形態では、少なくとも１つの刺激策を含む段階的な料金体系は、第１の支払い請求割引と、第２の支払い請求割引と、第３の支払い請求割引とを含んでよい、複数の支払い請求割引と、最大割引と、最小割引とを包括してよい、図１６の段階的な料金体系および刺激策１６０２として実施される。
【０１９８】
図２９〜３１は、その中でセントラルサーバがアクセスし、データ生成サイトから医療臨床データを集め、それにより、ロジスティック上およびトランザクション上の複雑さを削減して、データ生成サイトからの臨床データベースのアクセスを改善するシステムを説明する。
【０１９９】
図２９は、クライアントとサーバとの間に集中化された通信と医療画像処理アプリケーションとを提供するための、ウェブベースの複数の動作可能に結合されたコンピュータ２９００の構成図である。
【０２００】
ウェブベースの複数の動作可能に結合されたコンピュータ２９００は、医療画像処理アプリケーション２９０４を有する、１つまたは複数のサーバ２９０２を含む。サーバ２９０２は、図１のＡＳＰ１０２に実質的に類似する。
【０２０１】
医療画像処理アプリケーション２９０４は、特定の臨床的な必要のため画像データを分析するための処理後ソフトウェアを含む。いくつかの実施形態では、医療画像処理アプリケーション２９０４は、アプリケーションニーズに従って分離された正規データの基準データベースを含む、特定用途向けであり、処理アルゴリズムを含む、疾患重症度の知識ベース２９０８を参照する神経変性疾患重症度索引付けアプリケーション２９０６など、図１の１つまたは複数の医療画像処理アプリケーション１０４に実質的に類似する。（１つまたは複数の）サーバ２９０２は、多くの場合、セントラルサイトまたはセントラルサーバと呼ばれる。
【０２０２】
ウェブベースの複数の動作可能に結合されたコンピュータ２９００は、段階的な料金体系および少なくとも１つの刺激策を識別するデータ構造２９１０を含む。データ構造２９１０は、１つまたは複数のサーバ２９０１、少なくとも１つのクライアント２９１２、あるいは１つまたは複数のサーバ２９０２および１つまたは複数のクライアント２９１２の中に含まれる。
【０２０３】
いくつかの実施形態では、データ構造２９１０は、各々が複数のカスタマサービス２９１６のうちの１つに関連する複数の支払い請求割引２９１４を含む。いくつかの実施形態では、複数の支払い請求割引２９１４と複数のカスタマサービス２９１６とは、カスタマが相談２９２０を提供する場合の最大割引２９１８と、カスタマがデータを伴う臨床転帰２９２４を提供する場合の徐々に減る割引２９２２と、カスタマがデータだけ２９２８を提供する場合の最小割引２９２６とを含む。いくつかの実施形態では、複数の支払い請求割引２９１４と複数のカスタマサービス２９１６とは、画像データ２９２８を提供するカスタマサービスに関連する第１の支払い請求割引２９１６と、画像データと臨床転帰２９２４とを提供するカスタマサービスに関連する第２の支払い請求割引２９２２と、臨床画像分析に関する相談２９２０を提供するカスタマサービスに関連する第３の支払い請求割引２９１８とを含む。
【０２０４】
いくつかの実施形態では、ウェブベースの複数の動作可能に結合されたコンピュータ２９００は、医療サービスの専門家によって操作され、また（１つまたは複数の）サーバ２９０２に動作可能に結合される少なくとも１つのコンピュータ２９３０を含む。さらに、データ構造２９１０は、（１つまたは複数の）サーバ２９０２を介して（１つまたは複数の）専門家コンピュータ２９３０から、（１つまたは複数の）カスタマコンピュータ２９１２に送信される。
【０２０５】
いくつかの実施形態では、ウェブベースの複数の動作可能に結合されたコンピュータ２９００は、医療サービスのサプライヤによって操作され、また（１つまたは複数の）サーバ２９０２に動作可能に結合される、少なくとも１つのコンピュータ２９３２を含む。
【０２０６】
図３０は、クライアントとサーバとの間に集中化された通信と医療画像処理アプリケーションとを提供するための、ウェブベースの複数の動作可能に結合されたコンピュータ３０００の構成図である。
【０２０７】
ウェブベースの複数の動作可能に結合されたコンピュータ３０００は、医療画像処理アプリケーション３００４を有する、１つまたは複数のサーバ３００２を含む。サーバ３００２は、図１のＡＳＰ１０２に実質的に類似する。
【０２０８】
医療画像処理アプリケーション３００４は、特定の臨床的な必要のため画像データを分析するための処理後ソフトウェアを含む。いくつかの実施形態では、医療画像処理アプリケーション３００４は、アプリケーションニーズに従って分離された正規データの基準データベースを含む、特定用途向けであり、処理アルゴリズムを含む、疾患重症度の知識ベース３００８を参照する神経変性疾患重症度索引付けアプリケーション３００６など、図１の１つまたは複数の医療画像処理アプリケーション１０４に実質的に類似する。（１つまたは複数の）サーバ３００２は、多くの場合、セントラルサイトまたはセントラルサーバと呼ばれる。
【０２０９】
ウェブベースの複数の動作可能に結合されたコンピュータ３０００は、少なくとも１つの専門家の勧告を識別するデータ構造３０１０を含む。データ構造３０１０は、１つまたは複数のサーバ３００２内に含まれる。
【０２１０】
いくつかの実施形態では、ウェブベースの複数の動作可能に結合されたコンピュータ３０００は、医療サービスの専門家によって操作され、また（１つまたは複数の）サーバ３００２に動作可能に結合される、少なくとも１つのコンピュータ３０３０を含む。さらに、データ構造３０１０は、（１つまたは複数の）サーバ３００２を介して、（１つまたは複数の）専門家コンピュータ３０３０から（１つまたは複数の）サプライヤコンピュータ３０３２に送信される。
【０２１１】
いくつかの実施形態では、ウェブベースの複数の動作可能に結合されたコンピュータ３０００は、医療サービスのサプライヤによって操作され、また（１つまたは複数の）サーバ３００２に動作可能に結合される、少なくとも１つのコンピュータ３０３２を含む。
【０２１２】
図３１は、一実施形態による、アプリケーションサービスプロバイダシステム３１００の構成図である。装置３１００は、図１のＡＳＰ１０２および図１４のアプリケーションサーバ１４０２の一実施形態である。
【０２１３】
アプリケーションサービスプロバイダシステム３１００のいくつかの実施形態は、外部の電子装置と通信するために動作可能なセキュア通信構成要素３１０２を含む。
【０２１４】
アプリケーションサービスプロバイダシステム３１００のいくつかの実施形態は、結果を提供する目的で医療アプリケーションを実行するために動作可能なアプリケーション構成要素３１０６（例えば、処理アルゴリズム構成要素）を含む。アプリケーションサービスプロバイダシステム３１００のいくつかの実施形態では、医療アプリケーション構成要素３１０６は、画像処理アプリケーションおよび／または医療画像処理アプリケーションならびに構造化医療処理アプリケーションを含む。
【０２１５】
アプリケーションサービスプロバイダシステム３１００のいくつかの実施形態は、アプリケーション構成要素３１０６にアクセス可能な基準データ３１０８を含む。
【０２１６】
アプリケーションサービスプロバイダシステム３１００のいくつかの実施形態は、アプリケーション構成要素３１０６にアクセス可能な疾患重要度の知識ベース３１１０を含む。
【０２１７】
アプリケーションサービスプロバイダシステム３１００のいくつかの実施形態は、ブラウザ３１１２、またはグラフィカルユーザインタフェースを含むその他のインターネットアクセス構成要素を含む。ブラウザ３１１２は、アプリケーション構成要素３１０６と動作可能に結合される。
【０２１８】
アプリケーションサービスプロバイダシステム３１００のいくつかの実施形態は、管理構成要素３１１４を含む。管理構成要素３１１４は、人員をスケジュールするために動作可能である。
【０２１９】
アプリケーションサービスプロバイダシステム３１００のいくつかの実施形態では、アプリケーション構成要素３１０６は、３Ｄ−ＳＳＰ処理アルゴリズム構成要素３１１６、ＳＰＭ処理アルゴリズム構成要素３１１８および／またはＡＭＩ処理アルゴリズム構成要素３１２０を含む。
【０２２０】
基準データ３１０８のいくつかの実施形態は、少なくとも１つのトレーサ（ｔｒａｃｅｒ）、経時分離された（ａｇｅ−ｓｅｇｒａｇａｔｅｄ）基準データおよび／または非経時基準に関して分離された基準データに関して、少なくとも１つの正規化基準データを含む。
【０２２１】
セキュア通信層のいくつかの実施形態は、少なくとも１つのＤＩＣＯＭセキュア通信層３１２２とウェブベースのセキュア通信層３１２４のうちの１つを含む。
【０２２２】
管理構成要素３１１４のいくつかの実施形態は、アカウント管理の管理層３１２６、アクセス制御管理層３１２８、セキュリティ管理層３１３０、スケジューリング管理層３１３２のうちの少なくとも１つを含む。ブラウザ３１１２のいくつかの実施形態は、アプリケーションインターネットアクセス構成要素とインフラストラクチャインターネットアクセス構成要素のうち少なくとも１つを含む。
【０２２３】
図１４〜３１の装置の構成要素は、コンピュータハードウェア回路として、またはコンピュータ可読プログラムとして、またはこれら両方の組合せとして実施されてよい。より具体的には、コンピュータ可読プログラム実施形態では、プログラムは、Ｊａｖａ（商標）、Ｓｍａｌｌｔａｌｋ（商標）またはＣ＋＋など、オブジェクト指向言語を使用してオブジェクト指向で構成されてよく、プログラムは、ＣＯＢＯＬまたはＣなど、手続き的言語を使用して手続き指向で構成されてもよい。ソフトウェア構成要素は、アプリケーションプログラムインタフェース（ＡＰＩ）または遠隔手続き呼出し（ＲＰＣ）、共通オブジェクトリクエストブローカアーキテクチャ（ＣＯＲＢＡ）、構成要素オブジェクトモデル（ＣＯＭ）、分散型構成要素オブジェクトモデル（Ｄｉｓｔｒｉｂｕｔｅｄ  Ｃｏｍｐｏｎｅｎｔ  Ｏｂｊｅｃｔ  Ｍｏｄｅｌ）（ＤＣＯＭ）、分散システムオブジェクトモデル（ＤＳＯＭ）およびリモートメソッドインボケーション（Ｒｅｍｏｔｅ  Ｍｅｔｈｏｄ  Ｉｎｖｏｃａｔｉｏｎ）（ＲＭＩ）などのプロセス間通信技術など、当業者によく知られているいくつかの手段のいずれかで通信する。構成要素は、図１３のコンピュータ１３０２内など、１台ほどの少数のコンピュータ上で、または少なくとも構成要素が存在するだけの数のコンピュータ上で実行する。
【０２２４】
結論
ネットワークアプリケーションフレームワークシステムが説明される。ネットワークアプリケーションフレームワークシステムの技術的効果は、医療サプライヤと、医療カスタマと、医療専門家との間に集中化されたコラボレーションを提供することである。特定の実施形態が本明細書で例示および説明されているが、当業者は、同じ目的を実現するのに適した任意の構成が、示された特定の実施形態の代わりに使われてよい点を理解されよう。本出願は、任意の適応形態または変更形態を網羅することが意図される。例えば、手続き的な観点で説明されるが、当業者は、これらの実施は、オブジェクト指向の設計環境または要求される関係を提供する任意のその他の設計環境で行われ得ることを理解されよう。
【０２２５】
特に、当業者は、方法および装置の名称は実施形態を限定することが意図されない点を容易に理解されよう。さらに、実施形態の範囲から逸脱せずに、追加的な方法および装置が構成要素に加えられてよく、機能は構成要素内で再構成されてよく、また実施形態で使用される、将来の拡張および物理装置に対応するための新しい構成要素が導入されてよい。当業者は、実施形態は、将来の通信装置、異なるファイルシステム、および新しいデータ種類に適用可能であることを容易に認識されよう。
【０２２６】
本出願で使用される用語は、本明細書で説明された同じ機能性を提供する、すべてのオブジェクト指向、データベースおよび通信環境ならびに代替技術を含むことが意図される。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【０２２７】
【図１】サプライヤと、専門家と、カスタマとに集中化された通信経路と医療画像処理アプリケーションとを提供するためのシステムの概要の構成図である。
【図２】一実施形態による、カスタマと、医療サプライヤと、医療専門家との間のコラボレーションをサポートするための方法の流れ図である。
【図３】一実施形態による、図２の方法に加えて実行される方法の流れ図である。
【図４】一実施形態による、カスタマと、医療サプライヤと、医療専門家との間のコラボレーションをサポートするための方法の流れ図である。
【図５】一実施形態による、カスタマと、医療サプライヤと、医療専門家との間のコラボレーションをサポートするための方法の流れ図である。
【図６】一実施形態による、カスタマと、医療サプライヤと、医療専門家との間の通信をサポートするための方法の流れ図である。
【図７】一実施形態による、医療画像プロセッサによって実行される医療画像処理の方法の流れ図である。
【図８】一実施形態による、第１のプロセッサによって実行される医療画像処理の方法の流れ図である。
【図９】一実施形態による、第１のプロセッサによって実行される医療画像処理の方法の流れ図である。
【図１０】一実施形態による、第１のプロセッサによって実行される医療画像処理の方法の流れ図である。
【図１１】一実施形態による、第１のプロセッサによって実行される医療画像処理の方法の流れ図である。
【図１２】一実施形態による、第１のプロセッサによって実行される医療画像処理の方法の流れ図である。
【図１３】異なる実施形態が実施され得る、ハードウェアと動作環境の構成図である。
【図１４】（１人または複数の）専門家とカスタマとに集中化された通信と医療画像処理アプリケーションとを提供するための装置の構成図である。
【図１５】一実施形態による、アプアリケーションサービスプロバイダシステムの構成図である。
【図１６】一実施形態による、トランザクションデータ（ｔｒａｎｓａｃｔｉｏｎ  ｄａｔａ）構造の構成図である。
【図１７】一実施形態による、ネットワークアプリケーションフレームワークシステムのカスタマサイトの構成図である。
【図１８】一実施形態による、ネットワークアプリケーションフレームワークシステムのサーバの構成図である。
【図１９】一実施形態による、ネットワークアプリケーションフレームワークシステムのクライアントとサーバの構成図である。
【図２０】一実施形態による、ネットワークアプリケーションフレームワークシステム内のクライアントの構成図である。
【図２１】一実施形態による、ネットワークアプリケーションフレームワークシステムのサーバの構成図である。
【図２２】一実施形態による、ネットワークアプリケーションフレームワークシステムのクライアントとサーバの構成図である。
【図２３】一実施形態による、ネットワークアプリケーションフレームワークシステムのカスタマサイトの構成図である。
【図２４】一実施形態による、ネットワークアプリケーションフレームワークシステムのサーバの構成図である。
【図２５】一実施形態による、ネットワークアプリケーションフレームワークシステムの専門家サイトの構成図である。
【図２６】一実施形態による、ネットワークアプリケーションフレームワークシステムのクライアントとサーバの構成図である。
【図２７】一実施形態による、カスタマと医療専門家との間のコラボレーションをサポートするシステムの構成図である。
【図２８】一実施形態による、カスタマと医療専門家との間のコラボレーションをサポートするシステムの構成図である。
【図２９】クライアントとサーバとの間に集中化された通信と医療画像処理アプリケーションとを提供するためのウェブベースの複数の動作可能に結合されたコンピュータの構成図である。
【図３０】クライアントとサーバとの間に集中化された通信と医療画像処理アプリケーションとを提供するためのウェブベースの複数の動作可能に結合されたコンピュータの構成図である。
【図３１】一実施形態による、アプリケーションサービスプロバイダシステムの構成図である。
【符号の説明】
【０２２８】
１００  サプライヤと、専門家と、カスタマとに集中化された通信経路と医療画像処理アプリケーションとを提供するためのシステム
１０２  １つまたは複数の医療画像処理アプリケーションをホストするアプリケーションサービスプロバイダ（ＡＳＰ）
１０４  １つまたは複数の医療画像処理アプリケーション
１０６  医療専門家
１０８  医療カスタマ
１１０  医療サプライヤ
１１２  （１つまたは複数の）通信媒体
１１４  （１つまたは複数の）通信媒体
１１６  （１つまたは複数の）通信媒体
２００  一実施形態による、カスタマと、医療サプライヤと、医療専門家との間のコラボレーションをサポートするための方法
２０２  注文要求書を送信すること
２０４  注文に従って、医療画像アプリケーションを処理すること
２０６  注文に従って、実行中の医療画像アプリケーションの処理結果を分析すること
２０８  分析の結果を報告すること
３００  一実施形態による、方法２００に加えて実行される方法
３０２  １つまたは複数の刺激策を含む段階的な料金体系をカスタマに提供すること
４００  一実施形態による、カスタマと、医療サプライヤと、医療専門家との間のコラボレーションをサポートするための方法
４０２  カスタマのアカウント状態に関して、医療専門家サービス注文要求データを受信すること
５００  一実施形態による、カスタマと、医療サプライヤと、医療専門家との間のコラボレーションをサポートするための方法
５０２  医療専門家サービス注文要求データを適切な医療アプリケーションに経路付けすること
５０４  医療専門家サービス注文要求データに関して人員をスケジュールすること
５０６  適切な医療アプリケーションから結果を受信すること
５０８  結果を医療専門家に送信すること
５１０  医療専門家から回答を受信すること
６００  一実施形態による、カスタマと、医療サプライヤと、医療専門家との間の通信をサポートするための方法
６０２  注文の結果を医療専門家に提示すること
６０４  回答をカスタマに送信すること
７００  一実施形態による、医療画像処理によって実行される医療画像処理の方法
７０２  第２のプロセッサに医療画像データを送信すること
８００  一実施形態による、第１のプロセッサによって実行される医療画像処理の方法
８０２  人間のオペレータまたは第１のプロセッサから受信される開始命令に関係なく、第２のプロセッサに医療画像データを送信すること
８０４  第２のプロセッサでのデータの可用性の指示を第２のプロセッサから受信すること
８０６  データを処理するための開始命令を第２のプロセッサに送信すること
９００  一実施形態による、第１のプロセッサによって実行される医療画像処理の方法
９０２  カスタマのアカウント状態に関して、第２のプロセッサによる第２の（例えば、デラックスな）水準のサービスを記載するサービス注文要求データを第２のプロセッサに送信すること
９０４  選択された通信方法を介して、第２のプロセッサから、第２のプロセッサによる医療画像データに関するサービス注文ベースの自動化された構造化処理アプリケーションの結果を受信すること
９０６  通信方法を介して、医療画像データに関して、また結果に関して第２のプロセッサから報告を受信すること
９０８  第２の水準のサービスに従って、第２のプロセッサから送り状を受信すること
１０００  一実施形態による、第１のプロセッサによって実行される医療画像処理の方法
１００２  カスタマのアカウント状態に関して、第２のプロセッサによる処理の技術者の監督を要求する、第２の（例えば、デラックスな）水準のサービスを記載し、かつ結果の通信方法を選択するサービス注文要求データを第２のプロセッサに送信すること
１００４  選択された通信方法を介して、第２のプロセッサによる医療画像データに関する技術者によって監督されたサービス注文ベースの自動化された構造化処理アプリケーションの結果を第２のプロセッサから受信すること
１１００  一実施形態による、第１のプロセッサによって実行される医療画像処理の方法
１１０２  選択された通信方法を介して、第２のプロセッサによる医療画像データの専門家によって監督されたサービス注文ベースの自動化された構造化処理アプリケーションの結果を第２のプロセッサから受信すること
１１０４  選択された通信方法を介して、第２のプロセッサによる医療画像データの専門家によって監督されたサービス注文ベースの自動化された構造化処理アプリケーションの結果を第２のプロセッサから受信すること
１１０６  第３の水準のサービスに従って、第２のプロセッサから送り状を受信すること
１２００  一実施形態による、第１のプロセッサによって実行される医療画像処理の方法
１２０２  カスタマのアカウント状態に関して、第２のプロセッサによる処理の専門家の監督と第２の専門家のコラボレーションとを要求する、第２のプロセッサによる第４の（例えば、最高の）水準のサービスを記載し、かつ結果の通信方法を選択するサービス注文要求データを第２のプロセッサに送信すること
１２０４  選択された通信方法を介して、第２のプロセッサから、第２のプロセッサによる医療画像データに関して第１の専門家によって監督されたサービス注文ベースの自動化された構造化処理アプリケーションの結果を受信すること
１２０６  第３のプロセッサを介して、第２のプロセッサから、第２の専門家とのオンラインコラボレーションを受信すること
１２０８  第４の水準のサービスに従って、第２のプロセッサから送り状を受信すること
１３００  ハードウェアとオペレーティング環境
１３０２  コンピュータ
１３０４  プロセッサ
１３０６  ランダムアクセスメモリ（ＲＡＭ）
１３０８  読出し専用メモリ（ＲＯＭ）
１３１０  １つまたは複数の大容量記憶装置
１３１２  システムバス
１３１４  インターネット
１３１６  通信装置
１３１８  キーボード
１３２０  ポインティングデバイス
１３２２  ディスプレイ装置
１３２４  スピーカ
１３２６  スピーカ
１３２８  遠隔コンピュータ
１３３０  ローカルエリアネットワーク（ＬＡＮ）
１３３２  広域ネットワーク（ＷＡＮ）
１３３４  ネットワークインタフェース
１３３６  ネットワークインタフェース
１３３８  電源装置
１４００  集中化された通信と医療画像処理アプリケーションとを（１人または複数の）専門家とカスタマとに提供するための装置
１４０２  アプリケーションサーバ
１４０４  特定の臨床的な必要のため画像データを分析するための処理後ソフトウェアを含む１つまたは複数のアプリケーション
１４０６  カスタマサイト
１４０８  データベース
１４１０  通信手段は、患者のプライバシーに関してすべてのＨＩＰＡＡガイドラインを満たす安全な環境で実行される。データ通信は、インターネットまたはイントラネットを使用してＤＩＣＯＭを介することが好ましい。
【０２２９】
１４１２  特定分野の専門家
１４１４  現地の専門家または技術者／アプリケーションスペシャリスト
１５００  一実施形態による、アプリケーションサービスプロバイダシステム
１５０２  セキュア通信構成要素
１５０４  カスタマ
１５０６  アプリケーション構成要素
１５０８  注文要求書
１５１０  トランザクション構成要素
１５１２  コラボレーション構成要素
１５１４  管理構成要素
１６００  トランザクションデータ構造
１６０２  少なくとも１つの刺激策
１６０４  複数の支払い請求割引
１７００  一実施形態による、ネットワークアプリケーションフレームワークシステムのカスタマサイト
１７０２  セキュア通信構成要素
１７０４  クライアント構成要素
１７０６  医療データ
１７０８  処理アプリケーション結果
１７１０  グラフィカルユーザインタフェース構成要素
１７１２  専門家インタフェース構成要素
１７１４  刺激策構成要素
１７１６  少なくとも１つの刺激策
１８００  一実施形態による、ネットワークアプリケーションフレームワークシステムのサーバ
１８０２  セキュア通信構成要素
１８０４  サーバ構成要素
１８０６  データ
１８０８  医療アプリケーション構成要素
１８１０  結果
１９００  一実施形態による、ネットワークアプリケーションフレームワークシステムのクライアントとサーバ
１９０２  クライアント
１９０４  サーバ
１９０６  セキュア通信構成要素
１９０８  クライアント構成要素
１９１０  データ
１９１２  結果
２０００  一実施形態による、ネットワークアプリケーションフレームワークシステムのクライアント
２００６  セキュア通信構成要素
２００８  クライアント構成要素
２０１０  データを送信する
２０１２  結果
２０１６  専門家インタフェース構成要素
２０１８  勧告
２０２０  刺激策構成要素
２０２２  刺激策
２１００  一実施形態による、ネットワークアプリケーションフレームワークシステムのサーバ
２１０２  セキュア通信構成要素
２１０４  サーバ構成要素
２１０６  データ
２１０８  医療アプリケーション構成要素
２１１０  結果
２１１２  医療アプリケーション構成要素
２１１４  トランザクション構成要素
２２００  一実施形態による、ネットワークアプリケーションフレームワークシステムのクライアントとサーバ
２２０２  クライアント
２２０４  サーバ
２２０６  セキュア通信構成要素
２２０８  クライアント構成要素
２２１０  データ
２２１２  結果
２３００  カスタマサイト
２３０２  セキュア通信構成要素
２３０４  クライアント構成要素
２３０６  医療データ
２３０８  処理アプリケーション結果
２３１０  グラフィカルユーザインタフェース構成要素
２３１２  専門家インタフェース構成要素
２３１４  コラボレーション構成要素
２３１６  トランザクション構成要素
２３１８  刺激策
２４００  一実施形態による、ネットワークアプリケーションフレームワークシステムのサーバ
２４０２  セキュア通信構成要素
２４０４  サーバ構成要素
２４０６  データ
２４０８  医療アプリケーション構成要素
２４１０  結果
２４１２  トランザクション構成要素
２４１４  段階的な料金体系
２５００  一実施形態による、ネットワークアプリケーションフレームワークシステムの専門家サイト
２５０２  セキュア通信構成要素
２５０４  専門家構成要素
２５０６  医療データ
２５０８  結果
２５１０  グラフィカルユーザインタフェース構成要素
２５１２  専門家インタフェース構成要素
２５１４  コラボレーション構成要素
２６００  一実施形態による、ネットワークアプリケーションフレームワークシステムのクライアントとサーバ
２６０２  クライアント
２６０４  サーバ
２６０６  セキュア通信構成要素
２６０８  クライアント構成要素
２６１０  データ
２６１２  結果
２６１４  専門家インタフェース構成要素
２６１６  専門家インタフェース構成要素
２６１８  勧告
２６２０  クライアントコラボレーション構成要素
２７００  一実施形態による、カスタマと医療専門家との間のコラボレーションをサポートするシステム
２７０２  セキュア通信構成要素
２７０４  カスタマ専門家間のセキュア交換構成要素
２７０６  構造化医療処理アプリケーション構成要素
２７０８  コラボレーション構成要素
２７１０  医療画像データ
２７１２  結果
２７１４  トランザクション構成要素
２７１６  段階的な料金体系
２８００  一実施形態による、カスタマと医療専門家との間のコラボレーションをサポートするシステム
２８０２  カスタマセキュア通信構成要素
２８０４  サプライヤセキュア通信構成要素
２８０６  専門家セキュア通信構成要素
２８１０  交換構成要素
２８１２  結果
２８１４  トランザクション構成要素
２８１６  段階的な料金体系
２９００  クライアントとサーバとの間に集中化された通信と医療画像処理アプリケーションとを提供するための、ウェブベースの複数の動作可能に結合されたコンピュータ
２９０２  （１つまたは複数の）サーバ
２９０４  医療画像処理アプリケーション
２９０６  神経変性疾患重症度索引付けアプリケーション
２９０８  疾患重要度の知識ベース
２９１０  データ構造
２９１２  少なくとも１人のクライアント
２９１４  支払い請求割引
２９１６  複数のカスタマサービスのうちの１つ
２９１８  最大割引
２９２０  相談
２９２２  割引
２９２４  データ
２９２６  最小割引
２９２８  データだけ
２９３０  少なくとも１つのコンピュータ
２９３２  少なくとも１つのコンピュータ
３０００  クライアントとサーバとの間に集中化された通信と医療画像処理アプリケーションとを提供するための、ウェブベースの複数の動作可能に結合されたコンピュータ
３００２  （１つまたは複数の）サーバ
３００４  医療画像処理アプリケーション
３００６  神経変性疾患重症度索引付けアプリケーション
３００８  疾患重要度の知識ベース
３０１０  データ構造
３０３０  少なくとも１つのコンピュータ
３０３２  （１つまたは複数の）サプライヤのコンピュータ
３１００  一実施形態による、アプリケーションサービスプロバイダシステム
３１０２  セキュア通信構成要素
３１０６  アプリケーション構成要素
３１０８  基準データ
３１１０  疾患重要度の知識ベース
３１１２  ブラウザ
３１１４  管理構成要素
３１１６  ３Ｄ−ＳＳＰ処理アルゴリズム構成要素
３１１８  ＳＰＭ処理アルゴリズム構成要素
３１２０  ＡＭＩ処理アルゴリズム構成要素
３１２２  ＤＩＣＯＭセキュア通信層
３１２４  ウェブベースのセキュア通信層
３１２６  アカウント管理の管理層
３１２８  アクセス制御管理層
３１３０  セキュリティ管理層
３１３２  スケジューリング管理層
【図１】
0005432444.tif 000002
【図２】
0005432444.tif 000003
【図３】
0005432444.tif 000004
【図４】
0005432444.tif 000005
【図５】
0005432444.tif 000006
【図６】
0005432444.tif 000007
【図７】
0005432444.tif 000008
【図８】
0005432444.tif 000009
【図９】
0005432444.tif 000010
【図１０】
0005432444.tif 000011
【図１１】
0005432444.tif 000012
【図１２】
0005432444.tif 000013
【図１３】
0005432444.tif 000014
【図１４】
0005432444.tif 000015
【図１５】
0005432444.tif 000016
【図１６】
0005432444.tif 000017
【図１７】
0005432444.tif 000018
【図１８】
0005432444.tif 000019
【図１９】
0005432444.tif 000020
【図２０】
0005432444.tif 000021
【図２１】
0005432444.tif 000022
【図２２】
0005432444.tif 000023
【図２３】
0005432444.tif 000024
【図２４】
0005432444.tif 000025
【図２５】
0005432444.tif 000026
【図２６】
0005432444.tif 000027
【図２７】
0005432444.tif 000028
【図２８】
0005432444.tif 000029
【図２９】
0005432444.tif 000030
【図３０】
0005432444.tif 000031
【図３１】
0005432444.tif 000032